(57)【要約】【課題】効率的に上りリンク制御情報を伝送することができる。【解決手段】第１の条件から第５の条件の少なくとも一部を満たすことに基づき前記上りリンク制御情報の少なくとも一部の送信はドロップされ、前記第１の条件は、前記ｓＰＵＳＣＨに含まれるＳＣ−ＦＤＭＡシンボルの数が所定の数であることであり、前記第２の条件は、第１のＳＣ−ＦＤＭＡシンボルの数が所定の値以下であることであり、前記第３の条件は、前記上りリンク制御情報のための符号化変調シンボル数に関連する第１の値が所定の値以下であることであり、前記第４の条件は、前記上りリンクグラントに基づき割り当てられる前記ｓＰＵＳＣＨのためのリソースブロック数が所定の値以下であることであり、前記第５の条件は、前記上りリンクグラントに含まれるビットが前記上りリンク制御情報の少なくとも一部の送信をドロップするようにトリガーされていることである。【選択図】図１２
2020005007.tif 000002
【特許請求の範囲】
【請求項１】
上りリンクグラントを検出する受信部と、
前記上りリンクグラントに基づき、ｓＰＵＳＣＨを送信する送信部と、を備え、
前記ｓＰＵＳＣＨは、１４より少ないＳＣ−ＦＤＭＡシンボルを含むチャネルであり、
前記ｓＰＵＳＣＨを用いて上りリンク制御情報の送信が設定され、第１の条件から第５の条件の少なくとも一部を満たすことに基づき前記上りリンク制御情報の少なくとも一部の送信はドロップされ、
前記第１の条件は、前記ｓＰＵＳＣＨに含まれるＳＣ−ＦＤＭＡシンボルの数が所定の数であることであり、
前記第２の条件は、前記ｓＰＵＳＣＨに含まれるＳＣ−ＦＤＭＡシンボルの数から参照信号のために用いられる前記ＳＣ−ＦＤＭＡシンボルの数を引いた値が所定の値以下であることであり、
前記第３の条件は、前記上りリンク制御情報のための符号化変調シンボル数に関連する第１の値が所定の値以下であることであり、
前記第４の条件は、前記上りリンクグラントに基づき割り当てられる前記ｓＰＵＳＣＨのためのリソースブロック数が所定の値以下であることであり、
前記第５の条件は、前記上りリンクグラントに含まれるビットが前記上りリンク制御情報の少なくとも一部の送信をドロップするようにトリガーされていることである
端末装置。
【請求項２】
前記符号化変調シンボルは、第１の符号化変調シンボルから第３の符号化変調シンボルの少なくとも一部を含み、
前記第１の符号化変調シンボルは、チャネル品質指標のための前記符号化変調シンボルであり、
前記第２の符号化変調シンボルは、ＨＡＲＱ−ＡＣＫのための前記符号化変調シンボルであり、
前記第３の符号化変調シンボルは、ランク指標のための前記符号化変調シンボルであり、
前記第１の値は、前記第１の符号化変調シンボルのための第１の上限値と前記第２の符号化変調シンボルのための第２の上限値と前記第３の符号化変調シンボルのための第３の上限値の少なくとも一部の和に基づき与えられる
請求項１に記載の端末装置。
【請求項３】
上りリンクグラントを検出する受信部と、
前記上りリンクグラントに基づき、上りリンク制御情報を、ｓＰＵＳＣＨを用いて送信する送信部と、を備え、
前記ｓＰＵＳＣＨは、１４より少ないＳＣ−ＦＤＭＡシンボルを含むチャネルであり、
前記上りリンク制御情報のための符号化変調シンボル数は、第１の方法、または、第２の方法に基づき計算され、
前記符号化変調シンボル数の計算方法が前記第１の方法であるか前記第２の方法であるかは、第１の条件から第５の条件の少なくとも一部に基づき与えられ、
前記第１の条件は、前記ＳＣ−ＦＤＭＡシンボルの数が所定の数であるか否かであり、
前記第２の条件は、前記ｓＰＵＳＣＨに含まれる前記ＳＣ−ＦＤＭＡシンボルの数から参照信号のために用いられる前記ＳＣ−ＦＤＭＡシンボルの数を引いた値が所定の値以下であるか否かであり、
前記第３の条件は、前記上りリンク制御情報のための符号化変調シンボル数に関連する第１の値が所定の値以下であるか否かであり、
前記第４の条件は、前記上りリンクグラントに基づき割り当てられる前記ｓＰＵＳＣＨのためのリソースブロック数が所定の値以下であるか否かであり、
前記第５の条件は、前記上りリンクグラントに含まれるビットが前記上りリンク制御情報の送信をドロップするようにトリガーされているか否かである
端末装置。
【請求項４】
前記第１の上りリンク制御情報は、少なくともチャネル品質指標を含み、
前記第１の値は、前記第１の方法に基づき与えられる前記符号化変調シンボル数であり、
前記第１の値が前記所定の値以下である場合に、前記第２の方法に基づき前記符号化変調シンボルが計算され、
前記第２の方法は、少なくとも前記ｓＰＵＳＣＨを用いて送信されるトランスポートブロックがマップされるレイヤ数に基づき与えられる値に基づき与えられる
請求項３に記載の端末装置。
【請求項５】
上りリンクグラントを送信する送信部と、
前記上りリンクグラントに基づき、端末装置よりｓＰＵＳＣＨを受信する受信部と、を備え、
前記ｓＰＵＳＣＨは、１４より少ないＳＣ−ＦＤＭＡシンボルを含むチャネルであり、
前記ｓＰＵＳＣＨを用いて上りリンク制御情報の送信が設定され、第１の条件から第５の条件の少なくとも一部を満たすことに基づき前記上りリンク制御情報の少なくとも一部の送信はドロップされ、
前記第１の条件は、前記ｓＰＵＳＣＨに含まれるＳＣ−ＦＤＭＡシンボルの数が所定の数であることであり、
前記第２の条件は、前記ｓＰＵＳＣＨに含まれるＳＣ−ＦＤＭＡシンボルの数から参照信号のために用いられる前記ＳＣ−ＦＤＭＡシンボルの数を引いた値が所定の値以下であることであり、
前記第３の条件は、前記上りリンク制御情報のための符号化変調シンボル数に関連する第１の値が所定の値以下であることであり、
前記第４の条件は、前記上りリンクグラントに基づき割り当てられる前記ｓＰＵＳＣＨのためのリソースブロック数が所定の値以下であることであり、
前記第５の条件は、前記上りリンクグラントに含まれるビットが前記上りリンク制御情報の少なくとも一部の送信をドロップするようにトリガーされていることである
基地局装置。
【請求項６】
前記符号化変調シンボルは、第１の符号化変調シンボルから第３の符号化変調シンボルの少なくとも一部を含み、
前記第１の符号化変調シンボルは、チャネル品質指標のための前記符号化変調シンボルであり、
前記第２の符号化変調シンボルは、ＨＡＲＱ−ＡＣＫのための前記符号化変調シンボルであり、
前記第３の符号化変調シンボルは、ランク指標のための前記符号化変調シンボルであり、
前記第１の値は、前記第１の符号化変調シンボルのための第１の上限値と前記第２の符号化変調シンボルのための第２の上限値と前記第３の符号化変調シンボルのための第３の上限値の少なくとも一部の和に基づき与えられる
請求項５に記載の基地局装置。
【請求項７】
上りリンクグラントを送信する送信部と、
前記上りリンクグラントに基づき、端末装置より送信されるｓＰＵＳＣＨに含まれる上りリンク制御情報を受信する受信部と、を備え、
前記ｓＰＵＳＣＨは、１４より少ないＳＣ−ＦＤＭＡシンボルを含むチャネルであり、
前記上りリンク制御情報のための符号化変調シンボル数は、第１の方法、または、第２の方法に基づき計算され、
前記符号化変調シンボル数の計算方法が前記第１の方法であるか前記第２の方法であるかは、第１の条件から第５の条件の少なくとも一部に基づき与えられ、
前記第１の条件は、前記ＳＣ−ＦＤＭＡシンボルの数が所定の数であるか否かであり、
前記第２の条件は、前記ｓＰＵＳＣＨに含まれる前記ＳＣ−ＦＤＭＡシンボルの数から参照信号のために用いられる前記ＳＣ−ＦＤＭＡシンボルの数を引いた値が所定の値以下であるか否かであり、
前記第３の条件は、前記上りリンク制御情報のための符号化変調シンボル数に関連する第１の値が所定の値以下であるか否かであり、
前記第４の条件は、前記上りリンクグラントに基づき割り当てられる前記ｓＰＵＳＣＨのためのリソースブロック数が所定の値以下であるか否かであり、
前記第５の条件は、前記上りリンクグラントに含まれるビットが前記上りリンク制御情報の送信をドロップするようにトリガーされているか否かである
基地局装置。
【請求項８】
前記第１の上りリンク制御情報は、少なくともチャネル品質指標を含み、
前記第１の値は、前記第１の方法に基づき与えられる前記符号化変調シンボル数であり、
前記第１の値が前記所定の値以下である場合に、前記第２の方法に基づき前記符号化変調シンボルが計算され、
前記第２の方法は、少なくとも前記ｓＰＵＳＣＨを用いて送信されるトランスポートブロックがマップされるレイヤ数に基づき与えられる値に基づき与えられる
請求項７に記載の基地局装置。
【請求項９】
端末装置に用いられる通信方法であって、
上りリンクグラントを検出するステップと、
前記上りリンクグラントに基づき、ｓＰＵＳＣＨを送信するステップと、を備え、
前記ｓＰＵＳＣＨは、１４より少ないＳＣ−ＦＤＭＡシンボルを含むチャネルであり、
前記ｓＰＵＳＣＨを用いて上りリンク制御情報の送信が設定され、第１の条件から第５の条件の少なくとも一部を満たすことに基づき前記上りリンク制御情報の少なくとも一部の送信はドロップされ、
前記第１の条件は、前記ｓＰＵＳＣＨに含まれるＳＣ−ＦＤＭＡシンボルの数が所定の数であることであり、
前記第２の条件は、前記ｓＰＵＳＣＨに含まれるＳＣ−ＦＤＭＡシンボルの数から参照信号のために用いられる前記ＳＣ−ＦＤＭＡシンボルの数を引いた値が所定の値以下であることであり、
前記第３の条件は、前記上りリンク制御情報のための符号化変調シンボル数に関連する第１の値が所定の値以下であることであり、
前記第４の条件は、前記上りリンクグラントに基づき割り当てられる前記ｓＰＵＳＣＨのためのリソースブロック数が所定の値以下であることであり、
前記第５の条件は、前記上りリンクグラントに含まれるビットが前記上りリンク制御情報の少なくとも一部の送信をドロップするようにトリガーされていることである
通信方法。
【請求項１０】
端末装置に用いられる通信方法であって、
上りリンクグラントを検出するステップと、
前記上りリンクグラントに基づき、上りリンク制御情報を、ｓＰＵＳＣＨを用いて送信するステップと、を備え、
前記ｓＰＵＳＣＨは、１４より少ないＳＣ−ＦＤＭＡシンボルを含むチャネルであり、
前記上りリンク制御情報のための符号化変調シンボル数は、第１の方法、または、第２の方法に基づき計算され、
前記符号化変調シンボル数の計算方法が前記第１の方法であるか前記第２の方法であるかは、第１の条件から第５の条件の少なくとも一部に基づき与えられ、
前記第１の条件は、前記ＳＣ−ＦＤＭＡシンボルの数が所定の数であるか否かであり、
前記第２の条件は、前記ｓＰＵＳＣＨに含まれる前記ＳＣ−ＦＤＭＡシンボルの数から参照信号のために用いられる前記ＳＣ−ＦＤＭＡシンボルの数を引いた値が所定の値以下であるか否かであり、
前記第３の条件は、前記上りリンク制御情報のための符号化変調シンボル数に関連する第１の値が所定の値以下であるか否かであり、
前記第４の条件は、前記上りリンクグラントに基づき割り当てられる前記ｓＰＵＳＣＨのためのリソースブロック数が所定の値以下であるか否かであり、
前記第５の条件は、前記上りリンクグラントに含まれるビットが前記上りリンク制御情報の送信をドロップするようにトリガーされているか否かである
通信方法。
【請求項１１】
基地局装置に用いられる通信方法であって、
上りリンクグラントを送信するステップと、
前記上りリンクグラントに基づき、端末装置よりｓＰＵＳＣＨを受信するステップと、を備え、
前記ｓＰＵＳＣＨは、１４より少ないＳＣ−ＦＤＭＡシンボルを含むチャネルであり、
前記ｓＰＵＳＣＨを用いて上りリンク制御情報の送信が設定され、第１の条件から第５の条件の少なくとも一部を満たすことに基づき前記上りリンク制御情報の少なくとも一部の送信はドロップされ、
前記第１の条件は、前記ｓＰＵＳＣＨに含まれるＳＣ−ＦＤＭＡシンボルの数が所定の数であることであり、
前記第２の条件は、前記ｓＰＵＳＣＨに含まれるＳＣ−ＦＤＭＡシンボルの数から参照信号のために用いられる前記ＳＣ−ＦＤＭＡシンボルの数を引いた値が所定の値以下であることであり、
前記第３の条件は、前記上りリンク制御情報のための符号化変調シンボル数に関連する第１の値が所定の値以下であることであり、
前記第４の条件は、前記上りリンクグラントに基づき割り当てられる前記ｓＰＵＳＣＨのためのリソースブロック数が所定の値以下であることであり、
前記第５の条件は、前記上りリンクグラントに含まれるビットが前記上りリンク制御情報の少なくとも一部の送信をドロップするようにトリガーされていることである
通信方法。
【請求項１２】
基地局装置に用いられる通信方法であって、
上りリンクグラントを送信するステップと、
前記上りリンクグラントに基づき、端末装置より送信されるｓＰＵＳＣＨに含まれる上りリンク制御情報を受信するステップと、を備え、
前記ｓＰＵＳＣＨは、１４より少ないＳＣ−ＦＤＭＡシンボルを含むチャネルであり、
前記上りリンク制御情報のための符号化変調シンボル数は、第１の方法、または、第２の方法に基づき計算され、
前記符号化変調シンボル数の計算方法が前記第１の方法であるか前記第２の方法であるかは、第１の条件から第５の条件の少なくとも一部に基づき与えられ、
前記第１の条件は、前記ＳＣ−ＦＤＭＡシンボルの数が所定の数であるか否かであり、
前記第２の条件は、前記ｓＰＵＳＣＨに含まれる前記ＳＣ−ＦＤＭＡシンボルの数から参照信号のために用いられる前記ＳＣ−ＦＤＭＡシンボルの数を引いた値が所定の値以下であるか否かであり、
前記第３の条件は、前記上りリンク制御情報のための符号化変調シンボル数に関連する第１の値が所定の値以下であるか否かであり、
前記第４の条件は、前記上りリンクグラントに基づき割り当てられる前記ｓＰＵＳＣＨのためのリソースブロック数が所定の値以下であるか否かであり、
前記第５の条件は、前記上りリンクグラントに含まれるビットが前記上りリンク制御情報の送信をドロップするようにトリガーされているか否かである
通信方法。
【請求項１３】
端末装置に実装される集積回路であって、
上りリンクグラントを検出する受信回路と、
前記上りリンクグラントに基づき、ｓＰＵＳＣＨを送信する送信回路と、を備え、
前記ｓＰＵＳＣＨは、１４より少ないＳＣ−ＦＤＭＡシンボルを含むチャネルであり、
前記ｓＰＵＳＣＨを用いて上りリンク制御情報の送信が設定され、第１の条件から第５の条件の少なくとも一部を満たすことに基づき前記上りリンク制御情報の少なくとも一部の送信はドロップされ、
前記第１の条件は、前記ｓＰＵＳＣＨに含まれるＳＣ−ＦＤＭＡシンボルの数が所定の数であることであり、
前記第２の条件は、前記ｓＰＵＳＣＨに含まれるＳＣ−ＦＤＭＡシンボルの数から参照信号のために用いられる前記ＳＣ−ＦＤＭＡシンボルの数を引いた値が所定の値以下であることであり、
前記第３の条件は、前記上りリンク制御情報のための符号化変調シンボル数に関連する第１の値が所定の値以下であることであり、
前記第４の条件は、前記上りリンクグラントに基づき割り当てられる前記ｓＰＵＳＣＨのためのリソースブロック数が所定の値以下であることであり、
前記第５の条件は、前記上りリンクグラントに含まれるビットが前記上りリンク制御情報の少なくとも一部の送信をドロップするようにトリガーされていることである
集積回路。
【請求項１４】
端末装置に実装される集積回路であって、
上りリンクグラントを検出する受信回路と、
前記上りリンクグラントに基づき、上りリンク制御情報を、ｓＰＵＳＣＨを用いて送信する送信回路と、を備え、
前記ｓＰＵＳＣＨは、１４より少ないＳＣ−ＦＤＭＡシンボルを含むチャネルであり、
前記上りリンク制御情報のための符号化変調シンボル数は、第１の方法、または、第２の方法に基づき計算され、
前記符号化変調シンボル数の計算方法が前記第１の方法であるか前記第２の方法であるかは、第１の条件から第５の条件の少なくとも一部に基づき与えられ、
前記第１の条件は、前記ＳＣ−ＦＤＭＡシンボルの数が所定の数であるか否かであり、
前記第２の条件は、前記ｓＰＵＳＣＨに含まれる前記ＳＣ−ＦＤＭＡシンボルの数から参照信号のために用いられる前記ＳＣ−ＦＤＭＡシンボルの数を引いた値が所定の値以下であるか否かであり、
前記第３の条件は、前記上りリンク制御情報のための符号化変調シンボル数に関連する第１の値が所定の値以下であるか否かであり、
前記第４の条件は、前記上りリンクグラントに基づき割り当てられる前記ｓＰＵＳＣＨのためのリソースブロック数が所定の値以下であるか否かであり、
前記第５の条件は、前記上りリンクグラントに含まれるビットが前記上りリンク制御情報の送信をドロップするようにトリガーされているか否かである
集積回路。
【請求項１５】
基地局装置に実装される集積回路であって、
上りリンクグラントを送信する送信回路と、
前記上りリンクグラントに基づき、端末装置よりｓＰＵＳＣＨを受信する受信回路と、を備え、
前記ｓＰＵＳＣＨは、１４より少ないＳＣ−ＦＤＭＡシンボルを含むチャネルであり、
前記ｓＰＵＳＣＨを用いて上りリンク制御情報の送信が設定され、第１の条件から第５の条件の少なくとも一部を満たすことに基づき前記上りリンク制御情報の少なくとも一部の送信はドロップされ、
前記第１の条件は、前記ｓＰＵＳＣＨに含まれるＳＣ−ＦＤＭＡシンボルの数が所定の数であることであり、
前記第２の条件は、前記ｓＰＵＳＣＨに含まれるＳＣ−ＦＤＭＡシンボルの数から参照信号のために用いられる前記ＳＣ−ＦＤＭＡシンボルの数を引いた値が所定の値以下であることであり、
前記第３の条件は、前記上りリンク制御情報のための符号化変調シンボル数に関連する第１の値が所定の値以下であることであり、
前記第４の条件は、前記上りリンクグラントに基づき割り当てられる前記ｓＰＵＳＣＨのためのリソースブロック数が所定の値以下であることであり、
前記第５の条件は、前記上りリンクグラントに含まれるビットが前記上りリンク制御情報の少なくとも一部の送信をドロップするようにトリガーされていることである
集積回路。
【請求項１６】
基地局装置に実装される集積回路であって、
上りリンクグラントを送信する送信回路と、
前記上りリンクグラントに基づき、端末装置より送信されるｓＰＵＳＣＨに含まれる上りリンク制御情報を受信する受信回路と、を備え、
前記ｓＰＵＳＣＨは、１４より少ないＳＣ−ＦＤＭＡシンボルを含むチャネルであり、
前記上りリンク制御情報のための符号化変調シンボル数は、第１の方法、または、第２の方法に基づき計算され、
前記符号化変調シンボル数の計算方法が前記第１の方法であるか前記第２の方法であるかは、第１の条件から第５の条件の少なくとも一部に基づき与えられ、
前記第１の条件は、前記ＳＣ−ＦＤＭＡシンボルの数が所定の数であるか否かであり、
前記第２の条件は、前記ｓＰＵＳＣＨに含まれる前記ＳＣ−ＦＤＭＡシンボルの数から参照信号のために用いられる前記ＳＣ−ＦＤＭＡシンボルの数を引いた値が所定の値以下であるか否かであり、
前記第３の条件は、前記上りリンク制御情報のための符号化変調シンボル数に関連する第１の値が所定の値以下であるか否かであり、
前記第４の条件は、前記上りリンクグラントに基づき割り当てられる前記ｓＰＵＳＣＨのためのリソースブロック数が所定の値以下であるか否かであり、
前記第５の条件は、前記上りリンクグラントに含まれるビットが前記上りリンク制御情報の送信をドロップするようにトリガーされているか否かである
集積回路。
【発明の詳細な説明】
【技術分野】
【０００１】
本発明は、端末装置、基地局装置、通信方法、および、集積回路に関する。
【背景技術】
【０００２】
セルラー移動通信の無線アクセス方式および無線ネットワーク（以下、「Long Term Evolution （LTE）」、または、「Evolved Universal Terrestrial Radio Access : EUTRA
」と称する。）が、第三世代パートナーシッププロジェクト（3rd Generation Partnership Project: 3GPP）において検討されている。ＬＴＥでは、基地局装置をｅＮｏｄｅＢ（evolved NodeB）、端末装置をＵＥ（User Equipment）とも称する。ＬＴＥは、基地局装
置がカバーするエリアをセル状に複数配置するセルラー通信システムである。単一の基地局装置は複数のセルを管理してもよい。
【０００３】
ＬＴＥリリース１３において、ＰＵＳＣＨおよびＰＵＣＣＨが上りリンク制御情報が伝送することが仕様化されている（非特許文献１、非特許文献２、非特許文献３、および、非特許文献４）。非特許文献５において、ＴＴＩ（Transmission Time Interval）の短縮、および、処理時間の削減について検討されている。非特許文献６において、ｓＰＵＣＣＨ、および、ｓＰＵＳＣＨがチャネル状態情報およびＨＡＲＱ−ＡＣＫ（Hybrid Automatic Repeat reQuest-ACKnowledgement）を伝送することが検討されている。
【先行技術文献】
【非特許文献】
【０００４】
【非特許文献１】"3GPP TS 36.211 V13.1.0 (2016-03)", 29th March, 2016.
【非特許文献２】"3GPP TS 36.212 V13.1.0 (2016-03)", 29th March, 2016.
【非特許文献３】"3GPP TS 36.213 V13.1.1 (2016-03)", 31th March, 2016.
【非特許文献４】"3GPP TS 36.300 V13.2.0 (2015-12)", 13th January, 2015.
【非特許文献５】"New SI proposal: Study on Latency reduction techniques for LTE", RP-150465, Ericsson, Huawei, 3GPP TSG RAN Meeting #67, Shanghai, China, 9th - 12th March 2015.
【非特許文献６】" Physical layer aspects for PUSCH for short TTI", R1-163320, Ericsson, 3GPP TSG RAN WG1 Meeting#84 bis, Busan, 11th - 15th April 2016.
【発明の概要】
【発明が解決しようとする課題】
【０００５】
本発明は、効率的に上りリンク制御情報を送信することができる端末装置、該端末装置に用いられる通信方法、該端末装置に実装される集積回路、効率的に上りリンク制御情報を受信することができる基地局装置、該基地局装置に用いられる通信方法、および、該基地局装置に実装される集積回路を提供する。
【課題を解決するための手段】
【０００６】
（１）本発明の第１の態様は、端末装置であって、上りリンクグラントを検出する受信部と、前記上りリンクグラントに基づき、ｓＰＵＳＣＨを送信する送信部と、を備え、前記ｓＰＵＳＣＨは、１４より少ないＳＣ−ＦＤＭＡシンボルを含むチャネルであり、前記ｓＰＵＳＣＨを用いて上りリンク制御情報の送信が設定され、第１の条件から第５の条件の少なくとも一部を満たすことに基づき前記上りリンク制御情報の少なくとも一部の送信はドロップされ、前記第１の条件は、前記ｓＰＵＳＣＨに含まれるＳＣ−ＦＤＭＡシンボルの数が所定の数であることであり、前記第２の条件は、前記ｓＰＵＳＣＨに含まれるＳＣ−ＦＤＭＡシンボルの数から参照信号のために用いられる前記ＳＣ−ＦＤＭＡシンボル
の数を引いた値が所定の値以下であることであり、前記第３の条件は、前記上りリンク制御情報のための符号化変調シンボル数に関連する第１の値が所定の値以下であることであり、前記第４の条件は、前記上りリンクグラントに基づき割り当てられる前記ｓＰＵＳＣＨのためのリソースブロック数が所定の値以下であることであり、前記第５の条件は、前記上りリンクグラントに含まれるビットが前記上りリンク制御情報の少なくとも一部の送信をドロップするようにトリガーされていることである。
【０００７】
（２）本発明の第２の態様は、端末装置であって、上りリンクグラントを検出する受信部と、前記上りリンクグラントに基づき、上りリンク制御情報を、ｓＰＵＳＣＨを用いて送信する送信部と、を備え、前記ｓＰＵＳＣＨは、１４より少ないＳＣ−ＦＤＭＡシンボルを含むチャネルであり、前記上りリンク制御情報のための符号化変調シンボル数は、第１の方法、または、第２の方法に基づき計算され、前記符号化変調シンボル数の計算方法が前記第１の方法であるか前記第２の方法であるかは、第１の条件から第５の条件の少なくとも一部に基づき与えられ、前記第１の条件は、前記ＳＣ−ＦＤＭＡシンボルの数が所定の数であるか否かであり、前記第２の条件は、前記ｓＰＵＳＣＨに含まれる前記ＳＣ−ＦＤＭＡシンボルの数から参照信号のために用いられる前記ＳＣ−ＦＤＭＡシンボルの数を引いた値が所定の値以下であるか否かであり、前記第３の条件は、前記上りリンク制御情報のための符号化変調シンボル数に関連する第１の値が所定の値以下であるか否かであり、前記第４の条件は、前記上りリンクグラントに基づき割り当てられる前記ｓＰＵＳＣＨのためのリソースブロック数が所定の値以下であるか否かであり、前記第５の条件は、前記上りリンクグラントに含まれるビットが前記上りリンク制御情報の送信をドロップするようにトリガーされているか否かである。
【０００８】
（３）本発明の第３の態様は、基地局装置であって、上りリンクグラントを送信する送信部と、前記上りリンクグラントに基づき、端末装置よりｓＰＵＳＣＨを受信する受信部と、を備え、前記ｓＰＵＳＣＨは、１４より少ないＳＣ−ＦＤＭＡシンボルを含むチャネルであり、前記ｓＰＵＳＣＨを用いて上りリンク制御情報の送信が設定され、第１の条件から第５の条件の少なくとも一部を満たすことに基づき前記上りリンク制御情報の少なくとも一部の送信はドロップされ、前記第１の条件は、前記ｓＰＵＳＣＨに含まれるＳＣ−ＦＤＭＡシンボルの数が所定の数であることであり、前記第２の条件は、前記ｓＰＵＳＣＨに含まれるＳＣ−ＦＤＭＡシンボルの数から参照信号のために用いられる前記ＳＣ−ＦＤＭＡシンボルの数を引いた値が所定の値以下であることであり、前記第３の条件は、前記上りリンク制御情報のための符号化変調シンボル数に関連する第１の値が所定の値以下であることであり、前記第４の条件は、前記上りリンクグラントに基づき割り当てられる前記ｓＰＵＳＣＨのためのリソースブロック数が所定の値以下であることであり、前記第５の条件は、前記上りリンクグラントに含まれるビットが前記上りリンク制御情報の少なくとも一部の送信をドロップするようにトリガーされていることである。
【０００９】
（４）本発明の第４の態様は、基地局装置であって、上りリンクグラントを送信する送信部と、前記上りリンクグラントに基づき、端末装置より送信されるｓＰＵＳＣＨに含まれる上りリンク制御情報を受信する受信部と、を備え、前記ｓＰＵＳＣＨは、１４より少ないＳＣ−ＦＤＭＡシンボルを含むチャネルであり、前記上りリンク制御情報のための符号化変調シンボル数は、第１の方法、または、第２の方法に基づき計算され、前記符号化変調シンボル数の計算方法が前記第１の方法であるか前記第２の方法であるかは、第１の条件から第５の条件の少なくとも一部に基づき与えられ、前記第１の条件は、前記ＳＣ−ＦＤＭＡシンボルの数が所定の数であるか否かであり、前記第２の条件は、前記ｓＰＵＳＣＨに含まれる前記ＳＣ−ＦＤＭＡシンボルの数から参照信号のために用いられる前記ＳＣ−ＦＤＭＡシンボルの数を引いた値が所定の値以下であるか否かであり、前記第３の条件は、前記上りリンク制御情報のための符号化変調シンボル数に関連する第１の値が所定の値以下であるか否かであり、前記第４の条件は、前記上りリンクグラントに基づき割り
当てられる前記ｓＰＵＳＣＨのためのリソースブロック数が所定の値以下であるか否かであり、前記第５の条件は、前記上りリンクグラントに含まれるビットが前記上りリンク制御情報の送信をドロップするようにトリガーされているか否かである。
【００１０】
（５）本発明の第５の態様は、端末装置に用いられる通信方法であって、上りリンクグラントを検出するステップと、前記上りリンクグラントに基づき、ｓＰＵＳＣＨを送信するステップと、を備え、前記ｓＰＵＳＣＨは、１４より少ないＳＣ−ＦＤＭＡシンボルを含むチャネルであり、前記ｓＰＵＳＣＨを用いて上りリンク制御情報の送信が設定され、第１の条件から第５の条件の少なくとも一部を満たすことに基づき前記上りリンク制御情報の少なくとも一部の送信はドロップされ、前記第１の条件は、前記ｓＰＵＳＣＨに含まれるＳＣ−ＦＤＭＡシンボルの数が所定の数であることであり、前記第２の条件は、前記ｓＰＵＳＣＨに含まれるＳＣ−ＦＤＭＡシンボルの数から参照信号のために用いられる前記ＳＣ−ＦＤＭＡシンボルの数を引いた値が所定の値以下であることであり、前記第３の条件は、前記上りリンク制御情報のための符号化変調シンボル数に関連する第１の値が所定の値以下であることであり、前記第４の条件は、前記上りリンクグラントに基づき割り当てられる前記ｓＰＵＳＣＨのためのリソースブロック数が所定の値以下であることであり、前記第５の条件は、前記上りリンクグラントに含まれるビットが前記上りリンク制御情報の少なくとも一部の送信をドロップするようにトリガーされていることである。
【００１１】
（６）本発明の第６の態様は、端末装置に用いられる通信方法であって、上りリンクグラントを検出するステップと、前記上りリンクグラントに基づき、上りリンク制御情報を、ｓＰＵＳＣＨを用いて送信するステップと、を備え、前記ｓＰＵＳＣＨは、１４より少ないＳＣ−ＦＤＭＡシンボルを含むチャネルであり、前記上りリンク制御情報のための符号化変調シンボル数は、第１の方法、または、第２の方法に基づき計算され、前記符号化変調シンボル数の計算方法が前記第１の方法であるか前記第２の方法であるかは、第１の条件から第５の条件の少なくとも一部に基づき与えられ、前記第１の条件は、前記ＳＣ−ＦＤＭＡシンボルの数が所定の数であるか否かであり、前記第２の条件は、前記ｓＰＵＳＣＨに含まれる前記ＳＣ−ＦＤＭＡシンボルの数から参照信号のために用いられる前記ＳＣ−ＦＤＭＡシンボルの数を引いた値が所定の値以下であるか否かであり、前記第３の条件は、前記上りリンク制御情報のための符号化変調シンボル数に関連する第１の値が所定の値以下であるか否かであり、前記第４の条件は、前記上りリンクグラントに基づき割り当てられる前記ｓＰＵＳＣＨのためのリソースブロック数が所定の値以下であるか否かであり、前記第５の条件は、前記上りリンクグラントに含まれるビットが前記上りリンク制御情報の送信をドロップするようにトリガーされているか否かである。
【００１２】
（７）本発明の第７の態様は、基地局装置に用いられる通信方法であって、上りリンクグラントを送信するステップと、前記上りリンクグラントに基づき、端末装置よりｓＰＵＳＣＨを受信するステップと、を備え、前記ｓＰＵＳＣＨは、１４より少ないＳＣ−ＦＤＭＡシンボルを含むチャネルであり、前記ｓＰＵＳＣＨを用いて上りリンク制御情報の送信が設定され、第１の条件から第５の条件の少なくとも一部を満たすことに基づき前記上りリンク制御情報の少なくとも一部の送信はドロップされ、前記第１の条件は、前記ｓＰＵＳＣＨに含まれるＳＣ−ＦＤＭＡシンボルの数が所定の数であることであり、前記第２の条件は、前記ｓＰＵＳＣＨに含まれるＳＣ−ＦＤＭＡシンボルの数から参照信号のために用いられる前記ＳＣ−ＦＤＭＡシンボルの数を引いた値が所定の値以下であることであり、前記第３の条件は、前記上りリンク制御情報のための符号化変調シンボル数に関連する第１の値が所定の値以下であることであり、前記第４の条件は、前記上りリンクグラントに基づき割り当てられる前記ｓＰＵＳＣＨのためのリソースブロック数が所定の値以下であることであり、前記第５の条件は、前記上りリンクグラントに含まれるビットが前記上りリンク制御情報の少なくとも一部の送信をドロップするようにトリガーされていることである。
【００１３】
（８）本発明の第８の態様は、基地局装置に用いられる通信方法であって、上りリンクグラントを送信するステップと、前記上りリンクグラントに基づき、端末装置より送信されるｓＰＵＳＣＨに含まれる上りリンク制御情報を受信するステップと、を備え、前記ｓＰＵＳＣＨは、１４より少ないＳＣ−ＦＤＭＡシンボルを含むチャネルであり、前記上りリンク制御情報のための符号化変調シンボル数は、第１の方法、または、第２の方法に基づき計算され、前記符号化変調シンボル数の計算方法が前記第１の方法であるか前記第２の方法であるかは、第１の条件から第５の条件の少なくとも一部に基づき与えられ、前記第１の条件は、前記ＳＣ−ＦＤＭＡシンボルの数が所定の数であるか否かであり、前記第２の条件は、前記ｓＰＵＳＣＨに含まれる前記ＳＣ−ＦＤＭＡシンボルの数から参照信号のために用いられる前記ＳＣ−ＦＤＭＡシンボルの数を引いた値が所定の値以下であるか否かであり、前記第３の条件は、前記上りリンク制御情報のための符号化変調シンボル数に関連する第１の値が所定の値以下であるか否かであり、前記第４の条件は、前記上りリンクグラントに基づき割り当てられる前記ｓＰＵＳＣＨのためのリソースブロック数が所定の値以下であるか否かであり、前記第５の条件は、前記上りリンクグラントに含まれるビットが前記上りリンク制御情報の送信をドロップするようにトリガーされているか否かである。
【００１４】
（９）本発明の第９の態様は、端末装置に実装される集積回路であって、上りリンクグラントを検出する受信回路と、前記上りリンクグラントに基づき、ｓＰＵＳＣＨを送信する送信回路と、を備え、前記ｓＰＵＳＣＨは、１４より少ないＳＣ−ＦＤＭＡシンボルを含むチャネルであり、前記ｓＰＵＳＣＨを用いて上りリンク制御情報の送信が設定され、第１の条件から第５の条件の少なくとも一部を満たすことに基づき前記上りリンク制御情報の少なくとも一部の送信はドロップされ、前記第１の条件は、前記ｓＰＵＳＣＨに含まれるＳＣ−ＦＤＭＡシンボルの数が所定の数であることであり、前記第２の条件は、前記ｓＰＵＳＣＨに含まれるＳＣ−ＦＤＭＡシンボルの数から参照信号のために用いられる前記ＳＣ−ＦＤＭＡシンボルの数を引いた値が所定の値以下であることであり、前記第３の条件は、前記上りリンク制御情報のための符号化変調シンボル数に関連する第１の値が所定の値以下であることであり、前記第４の条件は、前記上りリンクグラントに基づき割り当てられる前記ｓＰＵＳＣＨのためのリソースブロック数が所定の値以下であることであり、前記第５の条件は、前記上りリンクグラントに含まれるビットが前記上りリンク制御情報の少なくとも一部の送信をドロップするようにトリガーされていることである。
【００１５】
（１０）本発明の第１０の態様は、端末装置に実装される集積回路であって、上りリンクグラントを検出する受信回路と、前記上りリンクグラントに基づき、上りリンク制御情報を、ｓＰＵＳＣＨを用いて送信する送信回路と、を備え、前記ｓＰＵＳＣＨは、１４より少ないＳＣ−ＦＤＭＡシンボルを含むチャネルであり、前記上りリンク制御情報のための符号化変調シンボル数は、第１の方法、または、第２の方法に基づき計算され、前記符号化変調シンボル数の計算方法が前記第１の方法であるか前記第２の方法であるかは、第１の条件から第５の条件の少なくとも一部に基づき与えられ、前記第１の条件は、前記ＳＣ−ＦＤＭＡシンボルの数が所定の数であるか否かであり、前記第２の条件は、前記ｓＰＵＳＣＨに含まれる前記ＳＣ−ＦＤＭＡシンボルの数から参照信号のために用いられる前記ＳＣ−ＦＤＭＡシンボルの数を引いた値が所定の値以下であるか否かであり、前記第３の条件は、前記上りリンク制御情報のための符号化変調シンボル数に関連する第１の値が所定の値以下であるか否かであり、前記第４の条件は、前記上りリンクグラントに基づき割り当てられる前記ｓＰＵＳＣＨのためのリソースブロック数が所定の値以下であるか否かであり、前記第５の条件は、前記上りリンクグラントに含まれるビットが前記上りリンク制御情報の送信をドロップするようにトリガーされているか否かである。
【００１６】
（１１）本発明の第１１の態様は、基地局装置に実装される集積回路であって、上りリ
ンクグラントを送信する送信回路と、前記上りリンクグラントに基づき、端末装置よりｓＰＵＳＣＨを受信する受信回路と、を備え、前記ｓＰＵＳＣＨは、１４より少ないＳＣ−ＦＤＭＡシンボルを含むチャネルであり、前記ｓＰＵＳＣＨを用いて上りリンク制御情報の送信が設定され、第１の条件から第５の条件の少なくとも一部を満たすことに基づき前記上りリンク制御情報の少なくとも一部の送信はドロップされ、前記第１の条件は、前記ｓＰＵＳＣＨに含まれるＳＣ−ＦＤＭＡシンボルの数が所定の数であることであり、前記第２の条件は、前記ｓＰＵＳＣＨに含まれるＳＣ−ＦＤＭＡシンボルの数から参照信号のために用いられる前記ＳＣ−ＦＤＭＡシンボルの数を引いた値が所定の値以下であることであり、前記第３の条件は、前記上りリンク制御情報のための符号化変調シンボル数に関連する第１の値が所定の値以下であることであり、前記第４の条件は、前記上りリンクグラントに基づき割り当てられる前記ｓＰＵＳＣＨのためのリソースブロック数が所定の値以下であることであり、前記第５の条件は、前記上りリンクグラントに含まれるビットが前記上りリンク制御情報の少なくとも一部の送信をドロップするようにトリガーされていることである。
【００１７】
（１２）本発明の第１２の態様は、基地局装置に実装される集積回路であって、上りリンクグラントを送信する送信回路と、前記上りリンクグラントに基づき、端末装置より送信されるｓＰＵＳＣＨに含まれる上りリンク制御情報を受信する受信回路と、を備え、前記ｓＰＵＳＣＨは、１４より少ないＳＣ−ＦＤＭＡシンボルを含むチャネルであり、前記上りリンク制御情報のための符号化変調シンボル数は、第１の方法、または、第２の方法に基づき計算され、前記符号化変調シンボル数の計算方法が前記第１の方法であるか前記第２の方法であるかは、第１の条件から第５の条件の少なくとも一部に基づき与えられ、前記第１の条件は、前記ＳＣ−ＦＤＭＡシンボルの数が所定の数であるか否かであり、前記第２の条件は、前記ｓＰＵＳＣＨに含まれる前記ＳＣ−ＦＤＭＡシンボルの数から参照信号のために用いられる前記ＳＣ−ＦＤＭＡシンボルの数を引いた値が所定の値以下であるか否かであり、前記第３の条件は、前記上りリンク制御情報のための符号化変調シンボル数に関連する第１の値が所定の値以下であるか否かであり、前記第４の条件は、前記上りリンクグラントに基づき割り当てられる前記ｓＰＵＳＣＨのためのリソースブロック数が所定の値以下であるか否かであり、前記第５の条件は、前記上りリンクグラントに含まれるビットが前記上りリンク制御情報の送信をドロップするようにトリガーされているか否かである。
【発明の効果】
【００１８】
この発明によれば、端末装置は効率的に上りリンク制御情報を送信することができる。また、基地局装置は効率的に上りリンク制御情報を受信することができる。
【図面の簡単な説明】
【００１９】
【図１】本実施形態の無線通信システムの概念図である。
【図２】本実施形態の無線フレームの概略構成を示す図である。
【図３】本実施形態における上りリンクスロットの概略構成を示す図である。
【図４】本実施形態におけるＴＴＩおよびｓＴＴＩの一例を示す図である。
【図５】本実施形態の下りリンクにおける物理チャネルの割り当ての一例を示す図である。
【図６】本実施形態の上りリンクにおける物理チャネルの割り当ての一例を示す図である。
【図７】本発明における端末装置１の構成を示す概略ブロック図である。
【図８】本発明における符号化部１０７１の構成を示す概略ブロック図である。
【図９】本実施形態における符号化変調シンボルのインタリーブの方法の一例を示す図である。
【図１０】本発明における基地局装置３の構成を示す概略ブロック図である。
【図１１】本実施形態の一態様に係る多重・インタリーブ部１０７１ｅにおける、ＰＵＳＣＨのための、データ、および、上りリンク制御情報のマッピングの一例を示す図である。
【図１２】本実施形態の一態様に係る多重・インタリーブ部１０７１ｅにおける、ｓＰＵＳＣＨのための、データ、および、上りリンク制御情報のマッピングの一例を示す図である。
【図１３】本実施形態の一態様に係るβＣＱＩｏｆｆｓｅｔの値の一例である。
【発明を実施するための形態】
【００２０】
以下、本発明の実施形態について説明する。
【００２１】
図１は、本実施形態の無線通信システムの概念図である。図１において、無線通信システムは、端末装置１Ａ〜１Ｃ、および基地局装置３を具備する。以下、端末装置１Ａ〜１Ｃを端末装置１という。
【００２２】
以下、キャリアアグリゲーションについて説明する。
【００２３】
本実施形態では、端末装置１は、複数のサービングセルが設定されてもよい。端末装置１が複数のサービングセルを介して通信する技術をセルアグリゲーション、またはキャリアアグリゲーションと称する。端末装置１に対して設定される複数のサービングセルのそれぞれにおいて、本発明が適用されてもよい。また、設定された複数のサービングセルの一部において、本発明が適用されてもよい。また、設定された複数のサービングセルのグループのそれぞれにおいて、本発明が適用されてもよい。また、設定された複数のサービングセルのグループの一部において、本発明が適用されてもよい。
【００２４】
複数のサービングセルは、少なくとも１つのプライマリセルを含む。複数のサービングセルは、１つ、または、複数のセカンダリセルを含んでもよい。プライマリセルは、初期コネクション確立（initial connection establishment）手順が行なわれたサービングセル、コネクション再確立（connection re-establishment）手順を開始したサービングセ
ル、または、ハンドオーバ手順においてプライマリセルと指示されたセルである。ＲＲＣ（Radio Resource Control）コネクションが確立された時点、または、後に、セカンダリセルが設定されてもよい。
【００２５】
下りリンクにおいて、サービングセルに対応するキャリアを下りリンクコンポーネントキャリアと称する。上りリンクにおいて、サービングセルに対応するキャリアを上りリンクコンポーネントキャリアと称する。下りリンクコンポーネントキャリア、および、上りリンクコンポーネントキャリアを総称して、コンポーネントキャリアと称する。
【００２６】
端末装置１は、複数のサービングセル（コンポーネントキャリア）において同時に複数の物理チャネルでの送信、および／または、受信を行うことができる。１つの物理チャネルは、複数のサービングセル（コンポーネントキャリア）のうち１つのサービングセル（コンポーネントキャリア）において送信される。
【００２７】
本実施形態の物理チャネルおよび物理信号について説明する。
【００２８】
図１において、端末装置１から基地局装置３への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ｓＰＵＣＣＨ（shortened Physical Uplink Control Channel）
・ＰＵＳＣＨ（Physical Uplink Shared Channel）
・ｓＰＵＳＣＨ（shortened Physical Uplink Shared Channel）
【００２９】
ＰＵＣＣＨ、および、ｓＰＵＣＣＨは、上りリンク制御情報（Uplink Control Information: UCI）を送信するために用いられる。本実施形態において、端末装置１は、プライ
マリセルのみにおいてＰＵＣＣＨの送信を行ってもよい。上りリンク制御情報は、下りリンクのチャネル状態情報（Channel State Information: CSI）、ＰＵＳＣＨリソースの要求を示すスケジューリング要求（Scheduling Request: SR）、下りリンクデータ（Transport block, Medium Access Control Protocol Data Unit: MAC PDU, Downlink-Shared Channel: DL-SCH, Physical Downlink Shared Channel: PDSCH）に対するＨＡＲＱ−ＡＣＫ（Hybrid Automatic Repeat request ACKnowledgement）を含む。ＨＡＲＱ−ＡＣＫは、
ＡＣＫ（acknowledgement）またはＮＡＣＫ（negative-acknowledgement）を示す。ＨＡ
ＲＱ−ＡＣＫを、ＡＣＫ／ＮＡＣＫ、ＨＡＲＱフィードバック、ＨＡＲＱ−ＡＣＫフィードバック、ＨＡＲＱ応答、ＨＡＲＱ−ＡＣＫ応答、ＨＡＲＱ情報、ＨＡＲＱ−ＡＣＫ情報、ＨＡＲＱ制御情報、および、ＨＡＲＱ−ＡＣＫ制御情報とも称する。
【００３０】
ＰＵＳＣＨは、少なくとも上りリンクデータの送信に用いられるチャネルであってもよい。ＰＵＳＣＨは、１ｍｓ（または、０．５ｍｓ）の長さであってもよい。ｓＰＵＳＣＨは、少なくとも上りリンクデータの送信に用いられるチャネルであってもよい。ｓＰＵＳＣＨは、１ｍｓ（または、０．５ｍｓ）より短い長さであってもよい。ＰＵＳＣＨは、スロットであってもよい。ｓＰＵＳＣＨは、ミニスロット（ｍｉｎｉ−ｓｌｏｔ）であってもよい。ｓＰＵＳＣＨは、サブスロットであってもよい。スロット、ミニスロット、および、サブスロットの少なくとも一部はリソース割り当てのための単位であってもよい。
【００３１】
チャネル状態情報は、チャネル品質指標（ＣＱＩ：Ｃｈａｎｎｅｌ  Ｑｕａｌｉｔｙ  Ｉｎｄｉｃａｔｏｒ）を含んでもよい。チャネル状態情報は、プレコーダ行列指標（ＰＭＩ：Ｐｒｅｃｏｄｉｎｇ  Ｍａｔｒｉｘ  Ｉｎｄｉｃａｔｏｒ）を含んでもよい。チャネル状態情報は、ランク指標（ＲＩ：Ｒａｎｋ  Ｉｎｄｉｃａｔｏｒ）を含んでもよい。ここで、チャネル品質指標とプレコーダ行列指標は、まとめてチャネル品質指標とも呼称される。また、チャネル状態情報は、ＣＳＩ−ＲＳリソース指標（ＣＲＩ：ＣＳＩ−ＲＳ  Ｒｅｓｏｕｒｃｅ  Ｉｎｄｉｃａｔｏｒ）を含んでもよい。ここで、ランク指標とＣＳＩ−ＲＳリソース指標は、まとめてランク指標と呼称されてもよい。
【００３２】
ＰＵＳＣＨ、および、ｓＰＵＳＣＨは、上りリンクデータ（Transport block, Medium Access Control Protocol Data Unit: MAC PDU, Uplink-Shared Channel: UL-SCH）を送
信するために用いられてもよい。ＰＵＳＣＨは、上りリンクデータと共にＨＡＲＱ−ＡＣＫおよび／またはチャネル状態情報を送信するために用いられてもよい。また、ＰＵＳＣＨはチャネル状態情報のみ、または、ＨＡＲＱ−ＡＣＫおよびチャネル状態情報のみを送信するために用いられてもよい。上りリンクデータは、トランスポートブロックとも呼称される。
【００３３】
非周期的なチャネル状態情報報告は、ＰＵＳＣＨ／ｓＰＵＳＣＨ送信に対応する上りリンクグラントに含まれるフィールドによってトリガーされる。周期的なチャネル状態情報報告は、ＲＲＣシグナリング（上位層のパラメータ）によってトリガーされる。非周期的なチャネル状態情報報告のために、ＰＵＳＣＨが用いられる。周期的なチャネル状態情報報告のために、ＰＵＳＣＨまたはＰＵＣＣＨが用いられる。
【００３４】
図１において、基地局装置３から端末装置１への下りリンクの無線通信では、以下の下りリンク物理チャネルが用いられる。下りリンク物理チャネルは、上位層から出力された情報を送信するために使用される。
・ＰＤＣＣＨ（Physical Downlink Control Channel）
・ＥＰＤＣＣＨ（Enhanced Physical Downlink Control Channel）
・ｓＰＤＣＣＨ（shortened Physical Downlink Control Channel）
・ＰＤＳＣＨ（Physical Downlink Shared Channel）
・ｓＰＤＳＣＨ（shortened Physical Downlink Shared Channel）
【００３５】
ＰＤＣＣＨ、ＥＰＤＣＣＨ、および、ｓＰＤＣＣＨは、下りリンク制御情報（Downlink
Control Information: DCI）を送信するために用いられる。下りリンク制御情報を、Ｄ
ＣＩフォーマットとも称する。下りリンク制御情報は、下りリンクグラント（downlink grant）および上りリンクグラント（uplink grant）を含む。下りリンクグラントは、下りリンクアサインメント（downlink assignment）または下りリンク割り当て（downlink allocation）とも称する。下りリンク制御情報は、ｓＰＤＣＣＨが設定されるリソースを設定するために用いられる情報を含んでもよい。下りリンク制御情報は、ブラインド検出をトリガーする情報を含んでもよい。下りリンク制御情報は、ｓＰＤＣＣＨのためのブラインド検出をトリガーする情報を含んでもよい。
【００３６】
１つの下りリンクグラントは、１つのセル内の１つのＰＤＳＣＨのスケジューリングに用いられてもよい。下りリンクグラントは、該下りリンクグラントが送信されたサブフレームと同じサブフレーム内のＰＤＳＣＨのスケジューリングに用いられてもよい。１つの下りリンクグラントは、１つのセル内の１つのｓＰＤＳＣＨのスケジューリングに用いられてもよい。下りリンクグラントは、該下りリンクグラントが送信されたｓＴＴＩ（shortened Transmission Time Interval）と同じｓＴＴＩ内のｓＰＤＳＣＨのスケジューリングに用いられてもよい。
【００３７】
１つの上りリンクグラントは、１つのセル内の１つのＰＵＳＣＨのスケジューリングに用いられてもよい。上りリンクグラントは、該上りリンクグラントが送信されたサブフレームより４つ以上後のサブフレーム内の１つのＰＵＳＣＨのスケジューリングに用いられてもよい。１つの上りリンクグラントは、１つのセル内の１つのｓＰＵＳＣＨのスケジューリングに用いられてもよい。上りリンクグラントは、該上りリンクグラントが送信されたｓＴＴＩより後のｓＴＴＩ内の１つのｓＰＵＳＣＨのスケジューリングに用いられてもよい。
【００３８】
ＰＤＳＣＨ、および、ｓＰＤＳＣＨは、下りリンクデータ（Downlink Shared Channel:
DL-SCH）を送信するために用いられる。
【００３９】
ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。
ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に変調処理、および、符号化処理が行なわれる。１つのコードワードは、１つ、または、複数のレイヤにマップされる。
【００４０】
以下、本実施形態の無線フレーム（radio frame）の構成の一例について説明する。図
２は、本実施形態の無線フレームの概略構成を示す図である。無線フレームのそれぞれは、１０ｍｓ長である。図２において、横軸は時間軸である。また、無線フレームのそれぞれは１０のサブフレームから構成される。サブフレームのそれぞれは、１ｍｓ長であり、２つの連続するスロットによって定義される。スロットのそれぞれは、０．５ｍｓ長であ
る。つまり、１０ｍｓ間隔のそれぞれにおいて、１０個のサブフレームが利用できる。サブフレームをＴＴＩ（Transmission Time Intervalとも称する）。ここで、ＴＴＩは、１ｍｓ（または、０．５ｍｓ）であってもよい。一方で、ｓＴＴＩは、ＴＴＩより短くてもよい。ｓＴＴＩは、ミニスロットと呼称されてもよい。ｓＴＴＩは、サブスロットと呼称されてもよい。
【００４１】
以下、本実施形態のスロットの構成の一例について説明する。図３は、本実施形態における上りリンクスロットの概略構成を示す図である。図３において、１つのセルにおける上りリンクスロットの構成を示す。図３において、横軸は時間軸であり、縦軸は周波数軸である。図３において、ｌはＳＣ−ＦＤＭＡシンボル番号／インデックスであり、ｋはサブキャリア番号／インデックスである。
【００４２】
スロットのそれぞれにおいて送信される物理シグナルまたは物理チャネルは、リソースグリッドによって表現される。上りリンクにおいて、リソースグリッドは複数のサブキャリアと複数のＳＣ−ＦＤＭＡシンボルによって定義される。リソースグリッド内のエレメントのそれぞれをリソースエレメントと称する。リソースエレメントは、サブキャリア番号／インデックスｋ、および、ＳＣ−ＦＤＭＡシンボル番号／インデックスｌによって表される。
【００４３】
上りリンクスロットは、時間領域において、複数のＳＣ−ＦＤＭＡシンボルｌ（l=0,1,…,NULsymb）を含む。NULsymbは、１つの上りリンクスロットに含まれるＳＣ−ＦＤＭＡ
シンボルの数を示す。上りリンクにおけるノーマルＣＰ（normal Cyclic Prefix）に対して、NULsymbは７である。上りリンクにおける拡張ＣＰ（extended ＣＰ）に対して、NULsymbは６である。
【００４４】
端末装置１は、上りリンクにおけるＣＰ長を示すパラメータUL-CyclicPrefixLengthを
基地局装置３から受信する。基地局装置３は、セルに対応する該パラメータUL-CyclicPrefixLengthを含むシステムインフォメーションを、該セルにおいて報知してもよい。
【００４５】
上りリンクスロットは、周波数領域において、複数のサブキャリアｋ（k=0,1,…,NULRB×NRBsc)を含む。NULRBは、NRBscの倍数によって表現される、サービングセルに対する上りリンク帯域幅設定である。NRBscは、サブキャリアの数によって表現される、周波数領
域における（物理）リソースブロックサイズである。サブキャリア間隔Δfは１５ｋＨｚ
であり、NRBscは１２であってもよい。すなわち、NRBscは、１８０ｋＨｚであってもよい。サブキャリア間隔Δfはチャネル毎、および／または、ＴＴＩ／ｓＴＴＩ毎に異なって
もよい。
【００４６】
リソースブロックは、物理チャネルのリソースエレメントへのマッピングを表すために用いられる。リソースブロックは、仮想リソースブロックと物理リソースブロックが定義される。物理チャネルは、まず仮想リソースブロックにマップされる。その後、仮想リソースブロックは、物理リソースブロックにマップされる。１つの物理リソースブロックは、時間領域においてNULsymbの連続するＳＣ−ＦＤＭＡシンボルと周波数領域においてNRBscの連続するサブキャリアとから定義される。ゆえに、１つの物理リソースブロックは（NULsymb×NRBsc）のリソースエレメントから構成される。１つの物理リソースブロックは、時間領域において１つのスロットに対応する。物理リソースブロックは周波数領域において、周波数の低いほうから順に番号（0,1,…, NULRB-1）が付けられる。
【００４７】
本実施形態における下りリンクのスロットは、複数のＯＦＤＭシンボルを含む。本実施形態における下りリンクのスロットの構成は、リソースグリッドが複数のサブキャリアと複数のＯＦＤＭシンボルによって定義される点を除いて基本的に同じであるため、下りリ
ンクのスロットの構成の説明は省略する。
【００４８】
図４は、本実施形態におけるＴＴＩおよびｓＴＴＩの一例を示す図である。ＴＴＩは、２×NULsymbのＳＣ−ＦＤＭＡシンボルから構成されてもよい。図４において、ｓＴＴＩ
を構成するＳＣ−ＦＤＭＡシンボルの数は、｛２、３、４、７｝の何れかである。ＸのＳＣ−ＦＤＭＡシンボルから構成されるＴＴＩ／ｓＴＴＩをＸシンボルＴＴＩとも称する。下りリンクにおいて、ＴＴＩ、および、ｓＴＴＩは、複数のＯＦＤＭシンボルから構成されてもよい。
【００４９】
図５は、本実施形態の下りリンクにおける物理チャネルの割り当ての一例を示す図である。
【００５０】
ｓＰＵＣＣＨの長さ、および、ｓＰＵＳＣＨの長さは個別に制御されてもよい。ｓＰＵＣＣＨで伝送される情報に基づいて、ｓＰＵＣＣＨの長さが決定されてもよい。ｓＰＵＳＣＨで伝送される情報に基づいて、ｓＰＵＣＳＨの長さが決定されてもよい。
【００５１】
図６は、本実施形態の上りリンクにおける物理チャネルの割り当ての一例を示す図である。ＰＵＣＣＨ６００、６０１、および、ｓＰＵＣＣＨ６０２−６０５に対して、周波数ホッピングが適用される。サブフレーム／ＴＴＩにおいて、ＰＵＳＣＨ、および、ＰＵＣＣＨは、２×NULsymbのＳＣ−ＦＤＭＡシンボルにマップされてもよい。４シンボルＴＴ
Ｉにおいて、ｓＰＵＳＣＨは４つのＳＣ−ＦＤＭＡシンボルにマップされてもよい。３シンボルＴＴＩにおいて、ｓＰＵＳＣＨは３つのＳＣ−ＦＤＭＡシンボルにマップされてもよい。７シンボルＴＴＩにおいて、ｓＰＵＣＣＨは７つのＳＣ−ＦＤＭＡシンボルにマップされてもよい。ＸシンボルＴＴＩにおけるＸのＳＣ−ＦＤＭＡシンボルにマップされるｓＰＵＳＣＨを、ＸシンボルｓＰＵＳＣＨとも称する。ＸシンボルＴＴＩにおけるＸのＳＣ−ＦＤＭＡシンボルにマップされるｓＰＵＣＣＨを、ＸシンボルｓＰＵＣＣＨとも称する。
【００５２】
以下、本発明の端末装置１の装置構成について説明する。
【００５３】
図７は、本発明における端末装置１の構成を示す概略ブロック図である。図示するように、端末装置１は、上位層処理部１０１、制御部１０３、受信部１０５、送信部１０７および、送受信アンテナ１０９を含んで構成される。上位層処理部１０１は、無線リソース制御部１０１１、スケジューリング部１０１３を含んで構成される。受信部１０５は、復号化部１０５１、復調部１０５３、多重分離部１０５５、無線受信部１０５７とチャネル測定部１０５９を含んで構成される。送信部１０７は、符号化部１０７１、ＰＵＳＣＨ生成部１０７３、ＰＵＣＣＨ生成部１０７５、多重部１０７７、無線送信部１０７９と上りリンク参照信号生成部１０７１１を含んで構成される。
【００５４】
上位層処理部１０１は、ユーザの操作等により生成された上りリンクデータを、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１はＰＤＣＣＨで受信された下りリンク制御情報などに基づき、受信部１０５、および送信部１０７の制御を行なうために制御情報を生成し、制御部１０３に出力する。
【００５５】
上位層処理部１０１が備える無線リソース制御部１０１１は、自装置の各種設定情報の管理を行なう。例えば、無線リソース制御部１０１１は、設定されたサービングセルの管理を行なう。また、無線リソース制御部１０１１は、上りリンクの各チャネルに配置され
る情報を生成し、送信部１０７に出力する。無線リソース制御部１０１１は、受信した下りリンクデータの復号に成功した場合には、ＡＣＫを生成し送信部１０７にＡＣＫを出力し、受信した下りリンクデータの復号に失敗した場合には、ＮＡＣＫを生成し、送信部１０７にＮＡＣＫを出力する。
【００５６】
上位層処理部１０１が備えるスケジューリング部１０１３は、受信部１０５を介して受信した下りリンク制御情報を記憶する。スケジューリング部１０１３は、上りリンクグラントを受信したサブフレームから４つ後のサブフレームにおいて、受信された上りリンクグラントに従ってＰＵＳＣＨを送信するよう、制御部１０３を介して送信部１０７を制御する。スケジューリング部１０１３は、下りリンクグラントを受信したサブフレームにおいて、受信された下りリンクグラントに従ってＰＤＳＣＨを受信するよう、制御部１０３を介して受信部１０５を制御する。
【００５７】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【００５８】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【００５９】
無線受信部１０５７は、送受信アンテナ１０９を介して受信した下りリンクの信号を直交復調し、直交復調されたアナログ信号をディジタル信号に変換する。無線受信部１０５７は、ディジタル信号に対して高速フーリエ変換（Fast Fourier Transform: FFT）を行
い、周波数領域の信号を抽出する。
【００６０】
多重分離部１０５５は、抽出した信号をＰＤＣＣＨ、ＰＤＳＣＨ、および下りリンク参照信号に、それぞれ分離する。多重分離部１０５５は、分離した下りリンク参照信号をチャネル測定部１０５９に出力する。
【００６１】
復調部１０５３は、ＰＤＣＣＨ、および、ＰＤＳＣＨに対して、ＱＰＳＫ、１６ＱＡＭ（Quadrature Amplitude Modulation）、６４ＱＡＭ等の変調方式に対する復調を行ない
、復号化部１０５１へ出力する。
【００６２】
復号化部１０５１は、下りリンクデータの復号を行い、復号した下りリンクデータを上位層処理部１０１へ出力する。チャネル測定部１０５９は、下りリンク参照信号から下りリンクの伝搬路の推定値を算出し、多重分離部１０５５へ出力する。チャネル測定部１０５９は、チャネル状態情報を算出し、尚且つ、チャネル状態情報を上位層処理部１０１へ出力する
【００６３】
送信部１０７は、制御部１０３から入力された制御信号に従って、上りリンク参照信号を生成し、上位層処理部１０１から入力された上りリンクデータや上りリンク制御情報を符号化および変調し、ＰＵＣＣＨ、ＰＵＳＣＨ、および生成した上りリンク参照信号を多重し、送受信アンテナ１０９を介して基地局装置３に送信する。
【００６４】
符号化部１０７１は、上位層処理部１０１から入力された上りリンク制御情報と上りリンクデータを符号化し、符号化ビットをＰＵＳＣＨ生成部および／またはＰＵＣＣＨ生成部に出力する。
【００６５】
図８は、本発明における符号化部１０７１の構成を示す概略ブロック図である。符号化部１０７１は、データ符号化部１０７１ａ、チャネル状態情報符号化部１０７１ｂ、ＨＡＲＱ−ＡＣＫ符号化部１０７１ｃ、ＲＩ符号化部１０７１ｄ、および、多重・インタリーブ部１０７１ｅを含む。
【００６６】
データ符号化部１０７１ａは、上位層１０１から入力された上りリンクデータａｉに上りリンクデータから生成されたＣＲＣパリティビットを付加し、当該ＣＲＣパリティビットが付加された上りリンクデータに誤り訂正符号化を適用し、上りリンクデータの符号化ビットｅｉを多重・インタリーブ部１０７１ｅへ出力する。Ａは上りリンクデータのペイロードサイズ（ビット数）である。Ｅは上りリンクデータの符号化ビット数である。
【００６７】
チャネル品質指標符号化部１０７１ｂは、チャネル品質指標ｏｉを符号化する。チャネル品質指標ｏｉがＰＵＳＣＨを用いて送信される場合、チャネル品質指標符号化部１０７１ｂは、チャネル品質指標ｏｉの符号化ビットｑiを多重・インタリーブ部１０７１ｅへ
出力する。チャネル品質指標ｏｉがＰＵＣＣＨを用いて送信される場合、チャネル品質指標符号化部１０７１ｂは、チャネル品質指標ｏｉの符号化ビットｑiをＰＵＣＣＨ生成部
１０７５へ出力する。Ｏはチャネル品質指標のビット数である。Ｑはチャネル品質指標の符号化ビット数である。
【００６８】
ＨＡＲＱ−ＡＣＫ符号化部１０７１ｃは、ＨＡＲＱ−ＡＣＫｂｉを符号化する。ＨＡＲＱ−ＡＣＫｂｉがＰＵＳＣＨを用いて送信される場合、ＨＡＲＱ−ＡＣＫ符号化部１０７１ｃは、ＨＡＲＱ−ＡＣＫｂｉの符号化ビットｆiを多重・インタリーブ部１０７１ｅへ
出力する。ＨＡＲＱ−ＡＣＫｂｉがＰＵＣＣＨを用いて送信される場合、ＨＡＲＱ−ＡＣＫ符号化部１０７１ｃは、ＨＡＲＱ−ＡＣＫｂｉの符号化ビットｆiをＰＵＣＣＨ生成部
１０７５へ出力する。ＢはＨＡＲＱ−ＡＣＫｂｉのビット数である。ＦはＨＡＲＱ−ＡＣＫｂｉの符号化ビット数である。
【００６９】
ＲＩ符号化部１０７１ｄは、ＲＩｃｉを符号化する。ＲＩｃｉがＰＵＳＣＨを用いて送信される場合、ＲＩ符号化部１０７１ｄは、ＲＩｃｉの符号化ビットｇｉを多重・インタリーブ部１０７１ｅへ出力する。ＲＩｃｉがＰＵＣＣＨを用いて送信される場合ＲＩ符号化部１０７１ｄは、ＲＩｃｉの符号化ビットｇｉをＰＵＣＣＨ生成部１０７５へ出力する。ＣはＲＩｃｉのビット数である。ＧはＲＩｃｉの符号化ビット数である。
【００７０】
多重・インタリーブ部１０７１ｅは、上りリンクデータの符号化ビットｅi、チャネル
状態情報の符号化ビットｑi、ＨＡＲＱ−ＡＣＫの符号化ビットｆi、および／または、ＲＩの符号化ビットｇｉをマップし、連結された符号化ビットｈiをＰＵＳＣＨ生成部１０
７３へ出力する。
【００７１】
図９は、本実施形態における多重・インタリーブ部１０７１ｅにおける符号化変調シンボルのマッピングの方法の一例を示す図である。符号化変調シンボルは、符号化ビットのグループである。１つの符号化シンボルが変調されることによって１つの変調シンボルが生成される。１つのトランスポートブロックが１レイヤにマップされる場合、１つの符号化変調シンボルは、上りリンクデータに対する変調方式の変調次数Ｑｍと同じ数の符号化ビットを含む。１つのトランスポートブロックが２レイヤにマップされる場合、１つの符号化変調シンボルは、上りリンクデータに対する変調方式の変調次数Ｑｍに２を乗算した数と同じ数の符号化ビットを含む。
【００７２】
図９において、ＰＵＳＣＨ／ｓＰＵＳＣＨがマップされるＳＣ−ＦＤＭＡシンボルの数から、上りリンクデータ、および／または、上りリンク制御情報の変調シンボルのために用いられないＳＣ−ＤＭＡシンボルの数を引いた数と同じ数の列がある。つまり、図９に
おける列の数は、上りリンク参照信号の送信のために用いられるＳＣ−ＦＤＭＡシンボルが含まれない。また、図９において、上りリンクグラントによって割り当てを示されたＰＵＳＣＨ／ｓＰＵＳＣＨのサブキャリアの数と同じ数の行がある。ここで、ＰＵＳＣＨ／ｓＰＵＳＣＨがマップされるＳＣ−ＦＤＭＡシンボルは、ＲＳのみがマップされるＳＣ−ＦＤＭＡシンボルは含まなくてもよい。
【００７３】
ＰＵＳＣＨ信号生成部１０７３において、図９の同一の列に配置される符号化変調シンボルに対応する複数の変調シンボルは、ともに離散フーリエ変換（Transform Precoding
）され、ＤＦＴされた信号は上りリンクグラントによって無線リソースの割り当てを示されたＰＵＳＣＨ／ｓＰＵＳＣＨのリソースエレメントに配置される。ｉ列目の符号化シンボルから生成されたＤＦＴされた信号はｉ番目のＳＣ−ＦＤＭＡシンボルに対応するリソースエレメントに配置される。
【００７４】
ＰＵＳＣＨ生成部１０７３は、符号化部１０７１から入力された符号化ビットｈiを変
調して変調シンボルを生成し、変調シンボルをＤＦＴすることによってＰＵＳＣＨ／ｓＰＵＳＣＨの信号を生成し、尚且つ、ＤＦＴされたＰＵＳＣＨ／ｓＰＵＳＣＨの信号を多重部１０７７へ出力する。ここで、ＰＵＳＣＨ生成部１０７３は、符号化部１０７１から入力された符号化ビットｈｉを変調して生成する変調シンボルをＤＦＴせずにＰＵＳＣＨ／ｓＰＵＳＣＨの信号を生成してもよい。
【００７５】
ＰＵＣＣＨ生成部１０７５は、符号化部１０７１から入力された符号化ビットｑｉ、ｆｉ、および／または、ｇｉに基づいて、ＰＵＣＣＨ／ｓＰＵＣＣＨの信号を生成し、生成したＰＵＣＣＨ／ｓＰＵＣＣＨの信号を多重部１０７７へ出力する。
【００７６】
上りリンク参照信号生成部１０７１１は上りリンク参照信号を生成し、生成した上りリンク参照信号を多重部１０７７へ出力する。
【００７７】
多重部１０７５は、制御部１０３から入力された制御信号に従って、ＰＵＳＣＨ生成部１０７３から入力された信号および／またはＰＵＣＣＨ生成部か１０７５ら入力された信号、および／または、上りリンク参照信号生成部１０７１１から入力された上りリンク参照信号を、送信アンテナポート毎に上りリンクのリソースエレメントに多重する。
【００７８】
無線送信部１０７７は、多重された信号を逆高速フーリエ変換（Inverse Fast Fourier
Transform: IFFT）して、ＳＣ−ＦＤＭＡ方式の変調を行い、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【００７９】
以下、本発明の基地局装置３の装置構成について説明する。
【００８０】
図１０は、本発明における基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１とスケジューリング部３０１３を含んで構成される。また、受信部３０５は、データ復調／復号部３０５１、制御情報復調／復号部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【００８１】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【００８２】
上位層処理部３０１が備える無線リソース制御部３０１１は、下りリンクのＰＤＳＣＨに配置される下りリンクデータ、ＲＲＣシグナル、ＭＡＣ  ＣＥ（Control Element）を
生成し、又は上位ノードから取得し、スケジューリング部３０１３に出力する。また、無線リソース制御部３０１１は、端末装置１各々の各種設定情報の管理を行う。例えば、無線リソース制御部３０１１は、端末装置１に設定したサービングセルの管理などを行なう。
【００８３】
上位層処理部３０１が備えるスケジューリング部３０１３は、端末装置１に割り当てるＰＵＳＣＨ／ｓＰＵＳＣＨやＰＵＣＣＨ／ｓＰＵＣＣＨの無線リソースの管理をしている。スケジューリング部３０１３は、端末装置１にＰＵＳＣＨ／ｓＰＵＳＣＨの無線リソースを割り当てた場合には、ＰＵＳＣＨ／ｓＰＵＳＣＨの無線リソースの割り当てを示す上りリンクグラントを生成し、生成した上りリンクグラントを送信部３０７へ出力する。
【００８４】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【００８５】
受信部３０５は、制御部３０３から入力された制御信号に従って、送受信アンテナ３０９を介して端末装置１から受信した受信信号を分離、復調、復号し、復号した情報を上位層処理部３０１に出力する。
【００８６】
無線受信部３０５７は、送受信アンテナ３０９を介して受信された上りリンクの信号を直交復調し、直交復調されたアナログ信号をディジタル信号に変換する。無線受信部３０５７は、ディジタル信号に対して高速フーリエ変換（Fast Fourier Transform: FFT）を
行い、周波数領域の信号を抽出し多重分離部３０５５に出力する。
【００８７】
多重分離部１０５５は、無線受信部３０５７から入力された信号をＰＵＣＣＨ／ｓＰＵＣＣＨ、ＰＵＳＣＨ／ｓＰＵＳＣＨ、上りリンク参照信号などの信号に分離する。尚、この分離は、予め基地局装置３が無線リソース制御部３０１１で決定し、各端末装置１に通知した上りリンクグラントに含まれる無線リソースの割り当て情報に基づいて行なわれる。多重分離部３０５５は、チャネル測定部３０５９から入力された伝搬路の推定値から、ＰＵＣＣＨ／ｓＰＵＣＣＨとＰＵＳＣＨ／ｓＰＵＳＣＨの伝搬路の補償を行なう。また、多重分離部３０５５は、分離した上りリンク参照信号をチャネル測定部３０５９に出力する。
【００８８】
多重分離部３０５５は、分離したＰＵＣＣＨ／ｓＰＵＣＣＨとＰＵＳＣＨ／ｓＰＵＳＣＨの信号から、上りリンクデータの変調シンボルと上りリンク制御情報の変調シンボルを取得する。多重分離部３０５５は、ＰＵＳＣＨ／ｓＰＵＳＣＨの信号から取得した上りリンクデータの変調シンボルをデータ復調／復号部３０５１へ出力する。多重分離部３０５５は、ＰＵＣＣＨ／ｓＰＵＣＣＨの信号またはＰＵＳＣＨ／ｓＰＵＳＣＨの信号から取得した上りリンク制御情報の変調シンボルを制御情報復調／復号部３０５３へ出力する。
【００８９】
チャネル測定部３０５９は、多重分離部３０５５から入力された上りリンク参照信号から伝搬路の推定値、チャネルの品質などを測定し、多重分離部３０５５および上位層処理部３０１に出力する。
【００９０】
データ復調／復号部３０５１は、多重分離部３０５５から入力された上りリンクデータの変調シンボルから上りリンクデータを復号する。データ復調／復号部３０５１は、復号された上りリンクデータを上位層処理部３０１へ出力する。
【００９１】
制御情報復調／復号部３０５３は、多重分離部３０５５から入力された上りリンク制御情報の変調シンボルから上りリンク制御情報を復号する。制御情報復調／復号部３０５３は、復号した上りリンク制御情報を上位層処理部３０１へ出力する。
【００９２】
送信部３０７は、制御部３０３から入力された制御信号に従って、下りリンク参照信号を生成し、上位層処理部３０１から入力された下りリンク制御情報、下りリンクデータを符号化、および変調し、ＰＤＣＣＨ、ＰＤＳＣＨ、および下りリンク参照信号を多重して、送受信アンテナ３０９を介して端末装置１に信号を送信する。
【００９３】
符号化部３０７１は、上位層処理部３０１から入力された下りリンク制御情報、および、下りリンクデータの符号化を行なう。変調部３０７３は、符号化部３０７１から入力された符号化ビットをＢＰＳＫ、ＱＰＳＫ、１６ＱＡＭ、６４ＱＡＭ等の変調方式で変調する。
【００９４】
下りリンク参照信号生成部３０７９は下りリンク参照信号として生成する。多重部３０７５は、各チャネルの変調シンボルと下りリンク参照信号を多重する。
【００９５】
無線送信部３０７７は、多重された変調シンボルなどを逆高速フーリエ変換（Inverse Fast Fourier Transform: IFFT）して、ＯＦＤＭ方式の変調を行い、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up
convert）し、余分な周波数成分を除去し、電力増幅し、送受信アンテナ３０９に出力して送信する。
【００９６】
端末装置１、および、基地局装置３に含まれる部のそれぞれは、回路として構成されてもよい。
【００９７】
端末装置１は、ＰＵＣＣＨ／ｓＰＵＣＣＨの送信とＰＵＳＣＨの送信が同一のサブフレームに設定された場合、ＰＵＣＣＨ／ｓＰＵＣＣＨの送信をドロップしてもよい。ＰＵＣＣＨ／ｓＰＵＣＣＨの送信がドロップされる場合、上りリンク制御情報は、ＰＵＳＣＨを用いて送信されてもよい。
【００９８】
端末装置１は、ＰＵＣＣＨ／ｓＰＵＣＣＨの送信とｓＰＵＳＣＨの送信が同一のサブフレームに設定された場合、ＰＵＣＣＨ／ｓＰＵＣＣＨの送信をドロップしてもよい。ＰＵＣＣＨ／ｓＰＵＣＣＨの送信がドロップされる場合、上りリンク制御情報は、ｓＰＵＳＣＨを用いて送信されてもよい。
【００９９】
図１１は、本実施形態の一態様に係る多重・インタリーブ部１０７１ｅにおける、ＰＵＳＣＨのための、データ、および、上りリンク制御情報のマッピングの一例を示す図である。多重・インタリーブ部１０７１ｅの動作は、動作１から動作５を含む。ここで、動作１は、符号化ビットｅｉから符号化変調シンボルｊｉを生成する動作を含む。また、符号
化ビットｑｉから符号化変調シンボルｋｉを生成する動作を含む。
【０１００】
次いで、動作２は、符号化変調シンボルｊｉと符号化変調シンボルｋｉを結合し、符号化変調シンボルｘｉを生成する動作を含む。動作１において、符号化変調シンボルｘｉは、符号化変調シンボルｋｉが符号化変調シンボルｊｉの前方に結合される。
【０１０１】
次いで、動作３は、符号化ビットｆｉから符号化変調シンボルｌｉを生成する動作を含む。また、動作３は、符号化変調シンボルｌｉを所定の行列の符号化変調シンボルｌｉのための所定の位置にマップすることを含む。図１１は、所定の行列の一例を示す。図１１は、符号化変調シンボルがマップされる所定の行列の一例を示す。変調シンボルｌｉのための所定の位置は、仕様書等の記載に基づき与えられる。例えば、ノーマルＣＰが設定されている場合において、符号化変調シンボルｌｉのための所定の位置は、２列目、５列目、８列目、１１列目である。
【０１０２】
次いで、動作４は、所定の行列に符号化変調シンボルｘｉを列単位にマップする方法を含む。列方向にマップされるとは、まず列方向に符号化変調シンボルがマップされ、列の終端において、次の行に移行し、列方向に符号化変調シンボルがマップされることであってもよい。動作４において、すでに符号化変調シンボルｌｉがマップされている位置には符号化変調シンボルｘｉがマップされない。
【０１０３】
次いで、動作５は、符号化ビットｇｉから符号化変調シンボルｍｉを生成する動作を含む。また、動作５は、符号化変調シンボルｍｉを符号化変調シンボルｍｉのための所定の位置にマップすることを含む。ここで、符号化変調シンボルｍｉのための所定の位置は、仕様書等の記載に基づき与えられる。例えば、ノーマルＣＰが設定されている場合において、符号化変調シンボルｍｉのための所定の位置は、３列目、４列目、９列目、１０列目である。動作５において、符号化変調シンボルｍｉのための所定の位置にすでに他の符号化変調シンボルがマップされている場合、すでにマップされている符号化変調シンボルをパンクチャ（ｐｕｎｃｔｕｒｅ）して、符号化変調シンボルｍｉをマップする。
【０１０４】
図１２は、本実施形態の一態様に係る多重・インタリーブ部１０７１ｅにおける、ｓＰＵＳＣＨのための、データ、および、上りリンク制御情報のマッピングの一例を示す図である。多重・インタリーブ部１０７１ｅの動作は、動作１から動作５の少なくとも一部を含む。
【０１０５】
ここで、動作４において、符号化変調シンボルｘｉは列方向にマップされる代わりに行単位にマップされる方法を含んでもよい。
【０１０６】
図１２に示されるように、ｓＰＵＳＣＨに含まれるＳＣ−ＦＤＭＡシンボルの数はＰＵＳＣＨに含まれるＳＣ−ＦＤＭＡシンボルの数よりも少ない。そのため、上りリンクデータに加えて上りリンク制御情報がｓＰＵＳＣＨで送信される場合、上りリンクデータの符号化率が上昇し、好適に上りリンクデータ伝送を実施することができない場合がある。そこで、上りリンクデータのための所定の符号化率を担保する、またはその他の理由により、ｓＰＵＳＣＨにマップされる上りリンク制御情報の符号化変調シンボル数を所定の条件に基づき変更することが好適である。
【０１０７】
端末装置１は、上りリンク制御情報をｓＰＵＳＣＨで送信することがトリガーされた（または、設定された、与えられた等）場合に、第１の条件から第６の条件の少なくとも一部に基づき、上りリンク制御情報の少なくとも一部をｓＰＵＳＣＨで送信することをドロップしてもよい。端末装置１は、上りリンク制御情報をｓＰＵＳＣＨで送信することがトリガーされた（または、設定された、与えられた等）場合に、第１の条件から第６の条件
の少なくとも一部に基づき、上りリンク制御情報の少なくとも一部の送信をドロップし、残りの上りリンク制御情報をｓＰＵＳＣＨで送信してもよい。
【０１０８】
上りリンク制御情報がｓＰＵＳＣＨで送信されることがトリガーされた（または、設定された、与えられた等）場合に、第１の条件から第６の条件の少なくとも一部に基づき、上りリンク制御情報の少なくとも一部をｓＰＵＳＣＨで送信することをドロップするか否かは、チャネル品質指標、および／または、ＨＡＲＱ−ＡＣＫ、および／または、ランク指標、および／または、ＣＳＩ−ＲＳリソース指標の少なくとも一部のために（例えば、上位層の信号により）個別に設定されてもよい。
【０１０９】
上りリンク制御情報の少なくとも一部の送信が第１のｓＰＵＳＣＨのためにドロップされた場合、第２のｓＰＵＳＣＨで該一部の送信が行われてもよい。例えば、第１のｓＰＵＳＣＨでチャネル品質指標の送信がドロップされる場合、第２のｓＰＵＳＣＨで該チャネル品質指標の送信が行われてもよい。第１のｓＰＵＳＣＨと第２のｓＰＵＳＣＨは、同一のサブフレームに含まれる上りリンクグラントの検出に基づき割り当てられてもよい。また、第１のｓＰＵＳＣＨと第２のｓＰＵＳＣＨは、同一の上りリンクグラントの検出に基づき割り当てられてもよい。第１のｓＰＵＳＣＨは、第２のｓＰＵＳＣＨよりも先に送信されるチャネルであってもよい。第１のｓＰＵＳＣＨのための第１のＳＣ−ＦＤＭＡシンボルの数は、第２のｓＰＵＳＣＨのための第１のＳＣ−ＦＤＭＡシンボルの数よりも少なくてもよい。
【０１１０】
端末装置１は、上りリンク制御情報をｓＰＵＳＣＨで送信することがトリガーされた（または、設定された、与えられた等）場合に、第１の条件から第６の条件の少なくとも一部に基づき、上りリンク制御情報の少なくとも一部を第１のｓＰＵＳＣＨと第２のｓＰＵＳＣＨを送信してもよい。
【０１１１】
上りリンク制御情報がｓＰＵＳＣＨで送信されることがトリガーされた（または、設定された、与えられた等）場合に、第１の条件から第６の条件の少なくとも一部に基づき、上りリンク制御情報の少なくとも一部を第１のｓＰＵＳＣＨに加えて第２のｓＰＵＳＣＨを用いて送信するか否かが与えられてもよい。上りリンク制御情報がｓＰＵＳＣＨで送信されることがトリガーされた（または、設定された、与えられた等）場合に、第１の条件から第６の条件の少なくとも一部に基づき、上りリンク制御情報の少なくとも一部を第１のｓＰＵＳＣＨに加えて第２のｓＰＵＳＣＨを用いて送信するか否かは、チャネル品質指標、および／または、ＨＡＲＱ−ＡＣＫ、および／または、ランク指標、および／または、ＣＳＩ−ＲＳリソース指標の少なくとも一部のために（例えば、上位層の信号により）個別に設定されてもよい。
【０１１２】
ここで、第１の条件は、ｓＰＵＳＣＨに含まれるＳＣ−ＦＤＭＡシンボルの数が該ｓＰＵＳＣＨのための所定のＳＣ−ＦＤＭＡシンボルの数であるか否かである。例えば、端末装置１は、該ｓＰＵＳＣＨに含まれるＳＣ−ＦＤＭＡシンボルの数が所定のＳＣ−ＦＤＭＡシンボルの数である場合に、該上りリンク制御情報の少なくとも一部の送信をドロップしてもよい。例えば、該上りリンク制御情報はチャネル品質指標であってもよい。また、該上りリンク制御情報はランク指標であってもよい。また、該上りリンク制御情報はチャネル品質指標とランク指標であってもよい。
【０１１３】
つまり、例えば、該ｓＰＵＳＣＨに含まれるＳＣ−ＦＤＭＡシンボルの数が所定のＳＣ−ＦＤＭＡシンボルの数である場合に、多重・インタリーブ部１０７１ｅの動作２は、符号化変調シンボルｊｉのみに基づき、符号化変調シンボルｘｉを生成する動作を含んでもよい。ここで、符号化変調シンボルｊｉと符号化変調シンボルｘｉは同じであってもよい。
【０１１４】
また、例えば、該ｓＰＵＳＣＨに含まれるＳＣ−ＦＤＭＡシンボルの数が所定のＳＣ−ＦＤＭＡシンボルの数である場合に、多重・インタリーブ部１０７１ｅは動作３を含まなくてもよい。
【０１１５】
また、例えば、該ｓＰＵＳＣＨに含まれるＳＣ−ＦＤＭＡシンボルの数が所定のＳＣ−ＦＤＭＡシンボルの数である場合に、多重・インタリーブ部１０７１ｅの動作２は、符号化変調シンボルｊｉのみに基づき、符号化変調シンボルｘｉを生成する動作を含み、かつ、多重・インタリーブ部１０７１ｅは、動作３を含まなくてもよい。
【０１１６】
ここで、例えば、所定のＳＣ−ＦＤＭＡシンボルの数は、２、３、４、または、７であってもよい。また、所定のＳＣ−ＦＤＭＡシンボルの数は、２以下の数であってもよいし、３以下の数であってもよいし、４以下の数であってもよいし、７以下の数であってもよい。
【０１１７】
第２の条件は、ｓＰＵＳＣＨに含まれるＳＣ−ＦＤＭＡシンボルの数から、上りリンクデータのために用いられないＳＣ−ＦＤＭＡシンボルの数を引いた値（第１のＳＣ−ＦＤＭＡシンボル数とも呼称される）が第１のＳＣ−ＦＤＭＡシンボルのための所定の値であるか否かである。例えば、端末装置１は、第１のＳＣ−ＦＤＭＡシンボル数が第１のＳＣ−ＦＤＭＡシンボルのための所定の値である場合に、該上りリンク制御情報の少なくとも一部の送信をドロップしてもよい。上りリンクデータのために含まれないＳＣ−ＦＤＭＡシンボルは、ＣＰのみにより構成されるＳＣ−ＦＤＭＡシンボルを含んでもよい。
【０１１８】
例えば、ｓＰＵＳＣＨに含まれる第１のＳＣ−ＦＤＭＡシンボル数が第１のＳＣ−ＦＤＭＡシンボルのための所定の値である場合に、多重・インタリーブ部１０７１ｅの動作２は、符号化変調シンボルｊｉのみに基づき、符号化変調シンボルｘｉを生成する動作を含んでもよい。ここで、符号化変調シンボルｊｉと符号化変調シンボルｘｉは同じであってもよい。
【０１１９】
また、例えば、該ｓＰＵＳＣＨのための第１のＳＣ−ＦＤＭＡシンボル数が第１のＳＣ−ＦＤＭＡシンボルのための所定の値である場合に、多重・インタリーブ部１０７１ｅは動作３を含まなくてもよい。
【０１２０】
また、例えば、該ｓＰＵＳＣＨのための第１のＳＣ−ＦＤＭＡシンボルの数が第１のＳＣ−ＦＤＭＡシンボルのための所定の値である場合に、多重・インタリーブ部１０７１ｅの動作２は、符号化変調シンボルｊｉのみに基づき、符号化変調シンボルｘｉを生成する動作を含み、かつ、多重・インタリーブ部１０７１ｅは、動作３を含まなくてもよい。
【０１２１】
ここで、例えば、第１のＳＣ−ＦＤＭＡシンボルのための所定の値は、１、２、３、４、５、６、または、７であってもよい。また、第１のＳＣ−ＦＤＭＡシンボルのための所定の値は、１以下の値であってもよいし、２以下の値であってもよいし、３以下の値であってもよいし、４以下の値であってもよいし、５以下の値であってもよいし、６以下の値であってもよいし、７以下の値であってもよい。
【０１２２】
第３の条件は、上りリンク制御情報のための符号化変調シンボル数に関連する第１の値が第１の値のための所定の値（または、所定の値以下）であるか否かである。
【０１２３】
ここで、第１の値は、上りリンク制御情報のための符号化変調シンボル数の上限値に基づき与えられてもよい。例えば、符号化変調シンボル数の上限値は、ｓＰＵＳＣＨに含まれる第１のＳＣ−ＦＤＭＡシンボルの数ＮＰＵＳＣＨｓｙｍｂと、上りリンクグラントに
基づき割り当てられるリソースが含むサブキャリア数ＭＰＵＳＣＨＳＣの積で与えられる第１の上限値であってもよい。また、符号化変調シンボル数の上限値は、第１の上限値から上りリンク制御情報のための符号化変調シンボル数（例えば、ＨＡＲＱ−ＡＣＫのための変調シンボル数ＱＨＡＲＱ−ＡＣＫ／Ｑｍ、および／または、ランク指標のための変調シンボル数ＱＲＩ／Ｑｍ）を引いた第２の上限値であってもよい。ここで、ＱＨＡＲＱ−ＡＣＫは、ＨＡＲＱ−ＡＣＫの符号化ビット数であり、ＱＲＩは、ランク指標の符号化ビット数であり、Ｑｍは、少なくともランク指標が送信されるｓＰＵＳＣＨに含まれる上りリンクデータに用いられる変調方式の変調次数（ｍｏｄｕｌａｔｉｏｎ  ｏｒｄｅｒ）である。
【０１２４】
また、符号化変調シンボル数の上限値は、上りリンク制御情報のための符号化変調シンボル数に基づき与えられてもよい。例えば、チャネル品質指標の符号化変調シンボル数Ｑ’１は、以下の数式（１）に基づき与えられてもよい。
【０１２５】
【数１】
2020005007.tif 000003
【０１２６】
ここで、ｍｉｎ（）は、入力された複数の値のうち最小の値を返す関数である。また、Ｃｅｉｌ（＊）は、＊を下回らない条件で最小の整数を取得する関数である。または、Ｃｅｉｌ（＊）は、＊の小数点以下を切り上げる関数である。また、ＯＣＱＩはチャネル品質指標のビット数である。Ｌはチャネル品質指標に付加されるＣＲＣ（Ｃｙｃｌｉｃ  Ｒｅｄａｎｄａｎｃｙ  Ｃｈｅｃｋ）パリティビットの数である。Ｃｂ（ｘ）はコードブロックの数である。ここで、ｘは、トランスポートブロックのインデックスである。ｘは、トランスポートブロックの送信を指示する最初の上りリンクグラント（または、イニシャルＰＤＣＣＨ）に対応する該トランスポートブロックのためのＭＣＳ（Ｍｏｄｕｌａｔｉｏｎ  ａｎｄ  Ｃｏｄｉｎｇ  Ｓｃｈｅｍｅ）のうち、最も大きいＭＣＳが設定されるトランスポートブロックに対応するインデックスである。該トランスポートブロックのためのＭＣＳが等しい場合、ｘは１に設定される。Ｋｒはコードブロックｒのサイズである。βＰＵＳＣＨｏｆｆｓｅｔはβＣＱＩｏｆｆｓｅｔによって与えられる。βＣＱＩｏｆｆｓｅｔは、基地局装置３から受信した情報／パラメータによって与えられてもよい。
【０１２７】
ＭＰＵＳＣＨ−ｉｎｉｔｉａｌ（ｘ）ｓｃは、ＰＵＳＣＨ／ｓＰＵＳＣＨの初期送信のためにスケジュールされた帯域幅であり、且つ、同じトランスポートブロックｘのためのイニシャルＰＤＣＣＨから得られる。ここで、初期送信は、トランスポートブロックのために最初に検出されるＵＬグラントにより設定されるＰＵＳＣＨ／ｓＰＵＳＣＨの送信である。ＭＰＵＳＣＨ−ｉｎｉｔｉａｌ（ｘ）ｓｃは、サブキャリアの数によって表現されてもよい。ＮＰＵＳＣＨ−ｉｎｉｔｉａｌ（ｘ）ｓｙｍｂは、同じトランスポートブロックｘのためのＰＵＳＣＨ／ｓＰＵＳＣＨの初期送信のための第１のＳＣ−ＦＤＭＡシンボルの数である。つまり、ＮＰＵＳＣＨ−ｉｎｉｔｉａｌ（ｘ）ｓｙｍｂは、トランスポートブロックｘの初期送信のための第１のＳＣ−ＦＤＭＡシンボルの数に対応する。ここで、当該同じトランスポートブロックｘは、上りリンク制御情報とともにＰＵＳＣＨで送信されるトランスポートブロックｘである。Ｑ（ｘ）ＲＩは、ランク指標の符号化ビット数である。また、Ｑ（ｘ）ｍは、トランスポートブロックｘのための変調次数である。
【０１２８】
例えば、ＨＡＲＱ−ＡＣＫの符号化変調シンボル数、および／または、ランク指標の符号化変調シンボル数Ｑ’２は、該ＨＡＲＱ−ＡＣＫまたは該ランク指標が送信されるＰＵＳＣＨ／ｓＰＵＳＣＨで送信されるトランスポートブロック数が１である場合に、以下の数式（２）に基づき与えられてもよい。
【０１２９】
【数２】
2020005007.tif 000004
【０１３０】
ここで、ＯはＨＡＲＱ−ＡＣＫのビット数、または、ランク指標のビット数である。ＭＰＵＳＣＨ−ｉｎｉｔｉａｌｓｃは、ＰＵＳＣＨ／ｓＰＵＳＣＨの初期送信のためにスケジュールされた帯域幅であり、イニシャルＰＤＣＣＨから得られる。ＮＰＵＳＣＨ−ｉｎｉｔｉａｌｓｙｍｂは、トランスポートブロックのためのＰＵＳＣＨ／ｓＰＵＳＣＨの初期送信のための第１のＳＣ−ＦＤＭＡシンボルの数である。つまり、ＮＰＵＳＣＨ−ｉｎｉｔｉａｌｓｙｍｂは、トランスポートブロックの初期送信のための第１のＳＣ−ＦＤＭＡシンボルの数に対応する。βＰＵＳＣＨｏｆｆｓｅｔは、ＨＡＲＱ−ＡＣＫの符号化変調シンボルの場合に、βＨＡＲＱ−ＡＣＫｏｆｆｓｅｔによって与えられる。また、βＰＵＳＣＨｏｆｆｓｅｔは、ランク指標の符号化変調シンボルの場合に、βＲＩｏｆｆｓｅｔによって与えられる。
【０１３１】
また、ＨＡＲＱ−ＡＣＫの符号化変調シンボル数、および／または、ランク指標の符号化変調シンボル数Ｑ’２は、該ＨＡＲＱ−ＡＣＫまたは該ランク指標が送信されるＰＵＳＣＨ／ｓＰＵＳＣＨで送信されるトランスポートブロック数が１以上である場合に、以下の数式（３）に基づき与えられてもよい。
【０１３２】
【数３】
2020005007.tif 000005
【０１３３】
ここで、ｍａｘ［］は、入力された複数の値のうち最大の値を返す関数である。また、Ｑ’ｍｉｎは、少なくともＯに基づき与えられる値である。例えば、Ｏが２以下の場合、
Ｑ’ｍｉｎはＯである。また、Ｏが３から１１の間である場合、Ｑ’ｍｉｎ＝ｃｅｉｌ（２Ｏ／Ｑ’ｍ）で与えられる。Ｑ’ｍは、ｍｉｎ（Ｑ１ｍ、Ｑ２ｍ）で与えられる。
【０１３４】
第１の値は、チャネル品質指標の符号化変調シンボル数Ｑ’１に基づき与えられる第１の最大値と、ＨＡＲＱ−ＡＣＫの符号化変調シンボル数Ｑ’２に基づき与えられる第２の最大値と、ランク指標の符号化変調シンボル数Ｑ’２に基づき与えられる第３の最大値の少なくとも一部を含む和に基づき与えられてもよい。例えば、第１の最大値は、ランク指標が２を示す場合の符号化変調シンボル数Ｑ’１に基づき与えられてもよい。また、第２の最大値は、ＦＤＤの場合、少なくとも端末装置１に設定されるサービングセルの数に基づき与えられてもよい。例えば、第２の最大値は、ＦＤＤの場合、端末装置１に設定されるサービングセルの数に２（１つのサービングセルで１つのサブフレームにおいて送信可能な最大のトランスポートブロック数）を乗算した値をＯとした場合のＱ’２に基づき与えられてもよい。また、第３の最大値は、ランク指標が２を示す場合の符号化変調シンボル数Ｑ’２に基づき与えられてもよい。
【０１３５】
例えば、端末装置１は、第１の値が第１の値のための所定の値（または、所定の値以下）である場合に、該上りリンク制御情報の少なくとも一部の送信をドロップしてもよい。
【０１３６】
例えば、第１の値が第１の値のための所定の値（または、所定の値以下）である場合に、多重・インタリーブ部１０７１ｅの動作２は、符号化変調シンボルｊｉのみに基づき、符号化変調シンボルｘｉを生成する動作を含んでもよい。ここで、符号化変調シンボルｊｉと符号化変調シンボルｘｉは同じであってもよい。
【０１３７】
また、例えば、第１の値が第１の値のための所定の値（または、所定の値以下）である場合に、多重・インタリーブ部１０７１ｅは動作３を含まなくてもよい。
【０１３８】
また、例えば、第１の値が第１の値のための所定の値（または、所定の値以下）である場合に、多重・インタリーブ部１０７１ｅの動作２は、符号化変調シンボルｊｉのみに基づき、符号化変調シンボルｘｉを生成する動作を含み、かつ、多重・インタリーブ部１０７１ｅは、動作３を含まなくてもよい。
【０１３９】
ここで、第１の値のための所定の値は、上位層の信号、または、ＰＤＣＣＨを用いて送信される情報に基づき与えられてもよい。また、第１の値のための所定の値は、仕様書等の記載に基づき与えられてもよい。
【０１４０】
例えば、第１の値がチャネル品質指標の符号化変調シンボル数に基づき与えられ、第１の値が第１の値のための所定の値（または、所定の値以下）である場合に、少なくともチャネル品質指標の送信、および／または、ランク指標の送信がドロップされてもよい。また、第１の値がチャネル品質指標の符号化変調シンボル数とランク指標の符号化変調シンボル数に基づき与えれ、第１の値が第１の値のための所定の値（または、所定の値以下）である場合に、少なくともチャネル品質指標、および／または、ランク指標の送信がドロップされてもよい。また、第１の値がチャネル品質指標の符号化変調シンボル数とランク指標の符号化変調シンボル数とＨＡＲＱ−ＡＣＫの符号化変調シンボル数に基づき与えられ、第１の値が第１の値のための所定の値（または、所定の値以下）である場合に、チャネル品質指標、および／または、ランク指標、および／または、ＨＡＲＱ−ＡＣＫがの送信がドロップされてもよい。
【０１４１】
例えば、チャネル品質指標の符号化変調シンボル数Ｑ’１が、第１の値のための所定の値（または、所定の値以下）である場合に、少なくともチャネル品質指標、および／または、ランク指標の送信がドロップされてもよい。また、チャネル品質指標の符号化変調シ
ンボル数Ｑ’１とランク指標の符号化変調シンボル数Ｑ’２ｒａｎｋの和が、第１の値のための所定の値（または、所定の値以下）である場合に、少なくともチャネル品質指標、および／または、ランク指標の送信がドロップされてもよい。ここで、Ｑ’２ｒａｎｋはランク指標のためのＱ’２の値である。また、チャネル品質指標の符号化変調シンボル数Ｑ’１とランク指標の符号化変調シンボル数Ｑ’２ｒａｎｋとＨＡＲＱ−ＡＣＫの符号化変調シンボル数Ｑ’２ＨＡＲＱ−ＡＣＫの和が、第１の値の所定の値（または、所定の値以下）である場合に、少なくともチャネル品質指標、および／または、ランク指標、および／または、ＨＡＲＱ−ＡＣＫの送信がドロップされてもよい。ここで、ＨＡＲＱ−ＡＣＫの符号化変調シンボル数Ｑ’２ＨＡＲＱ−ＡＣＫは、ＨＡＲＱ−ＡＣＫのためのＱ’２の値である。
【０１４２】
例えば、チャネル品質指標の符号化変調シンボル数Ｑ’１に基づき与えられる第１の最大値が、第１の値のための所定の値（または、所定の値以下）である場合に、少なくともチャネル品質指標、および／または、ランク指標の送信がドロップされてもよい。また、チャネル品質指標の符号化変調シンボル数Ｑ’１に基づき与えられる第１の最大値と、ランク指標の符号化変調シンボル数Ｑ’２に基づき与えられる第３の最大値の和が、第１の値のための所定の値（または、所定の値以下）である場合に、少なくともチャネル品質指標、および／または、ランク指標の送信がドロップされてもよい。また、チャネル品質指標の符号化変調シンボル数Ｑ’１に基づき与えられる第１の最大値と、ＨＡＲＱ−ＡＣＫの符号化変調シンボル数Ｑ’２に基づき与えられる第２の最大値と、ランク指標の符号化変調シンボル数Ｑ’２に基づき与えられる第３の最大値の和が、第１の値のための所定の値である場合に、チャネル品質指標、および／または、ランク指標、および／または、ＨＡＲＱ−ＡＣＫの送信がドロップされてもよい。
【０１４３】
第４の条件は、上りリンクグラントに基づき割り当てられるＰＵＳＣＨ／ｓＰＵＳＣＨのためのリソース数がリソース数のための所定の値（または、所定の値以下）であるか否かである。ここで、該リソース数は、リソースブロック数であってもよいし、リソースブロックのグループ数であってもよい。以下では、該リソース数がリソースブロック数である場合を例にとり、説明を行う。
【０１４４】
例えば、端末装置１は、上りリンクグラントに基づき割り当てられるＰＵＳＣＨ／ｓＰＵＳＣＨのためのリソースブロック数がリソース数のための所定の値（または、所定の値以下）である場合に、上りリンク制御情報の少なくとも一部の送信をドロップしてもよい。
【０１４５】
例えば、上りリンクグラントに基づき割り当てられるＰＵＳＣＨ／ｓＰＵＳＣＨのためのリソースブロック数がリソース数のための所定の値（または、所定の値以下）である場合に、多重・インタリーブ部１０７１ｅの動作２は、符号化変調シンボルｊｉのみに基づき、符号化変調シンボルｘｉを生成する動作を含んでもよい。ここで、符号化変調シンボルｊｉと符号化変調シンボルｘｉは同じであってもよい。
【０１４６】
例えば、上りリンクグラントに基づき割り当てられるＰＵＳＣＨ／ｓＰＵＳＣＨのためのリソースブロック数がリソース数のための所定の値（または、所定の値以下）である場合に、多重・インタリーブ部１０７１ｅは動作３を含まなくてもよい。
【０１４７】
例えば、上りリンクグラントに基づき割り当てられるＰＵＳＣＨ／ｓＰＵＳＣＨのためのリソースブロック数がリソース数のための所定の値（または、所定の値以下）である場合に、多重・インタリーブ部１０７１ｅの動作２は、符号化変調シンボルｊｉのみに基づき、符号化変調シンボルｘｉを生成する動作を含み、かつ、多重・インタリーブ部１０７１ｅは、動作３を含まなくてもよい。
【０１４８】
ここで、リソース数のための所定の値は、上位層の信号、または、ＰＤＣＣＨを用いて送信される情報に基づき与えられてもよい。また、リソース数のための所定の値は、仕様書等の記載に基づき与えられてもよい。
【０１４９】
第５の条件は、上りリンクグラントに含まれるビットが前記上りリンク制御情報の送信をドロップするようにトリガーされているか否かである。例えば、端末装置１は、上りリンクグラントに含まれるビットが前記上りリンク制御情報の送信をドロップするようにトリガーされている場合に、上りリンク制御情報の少なくとも一部の送信をドロップしてもよい。
【０１５０】
例えば、上りリンクグラントに含まれるビットが前記上りリンク制御情報の送信をドロップするようにトリガーされている場合に、多重・インタリーブ部１０７１ｅの動作２は、符号化変調シンボルｊｉのみに基づき、符号化変調シンボルｘｉを生成する動作を含んでもよい。ここで、符号化変調シンボルｊｉと符号化変調シンボルｘｉは同じであってもよい。
【０１５１】
例えば、上りリンクグラントに含まれるビットが前記上りリンク制御情報の送信をドロップするようにトリガーされている場合に、多重・インタリーブ部１０７１ｅは動作３を含まなくてもよい。
【０１５２】
例えば、上りリンクグラントに含まれるビットが前記上りリンク制御情報の送信をドロップするようにトリガーされている場合に、多重・インタリーブ部１０７１ｅの動作２は、符号化変調シンボルｊｉのみに基づき、符号化変調シンボルｘｉを生成する動作を含み、かつ、多重・インタリーブ部１０７１ｅは、動作３を含まなくてもよい。
【０１５３】
第６の条件は、ｓＰＵＳＣＨを用いて送信される上りリンク制御情報の符号化変調シンボル数（および／または、上りリンク制御情報のビット数）と、ｓＰＵＳＣＨを用いて送信される上りリンクデータの符号化率に関連する値と、ｓＰＵＳＣＨに含まれるリソースエレメント数の少なくとも一部に基づき与えられてもよい。
【０１５４】
例えば、第６の条件は、上りリンクデータの符号化率が所定の符号化率以上であるか否かであってもよい。ここで、第６の条件における該上りリンクデータの符号化率は、上りリンクグラントに基づき割り当てられるリソース数と、該上りリンクデータとともにｓＰＵＳＣＨで送信されることがトリガーされる上りリンク制御情報の符号化変調シンボル数に基づき与えられてもよい。例えば、該上りリンクデータの符号化率は、該上りリンクデータのトランスポートブロックサイズＸＴＢＳを、該上りリンクデータのために用いられるリソースエレメント数ＸＲＥと該上りリンクデータのための変調方式に対応する変調次数ＸＭＯＤの積で除算された値に比例した値であってもよい。つまり、該上りリンクデータの符号化率は、ＸＴＢＳ／（ＸＲＥ×ＸＭＯＤ）に基づき与えられてもよい。ここで、ＸＲＥは、第１のＳＣ−ＦＤＭＡシンボルの数と、ｓＰＵＳＣＨのために割り当てられるサブキャリア数の積から、上りリンク制御情報のための符号化変調シンボル数を引いた値に基づき与えられてもよい。
【０１５５】
例えば、第６の条件は、上りリンクデータのために用いられるリソースエレメント数ＮＲＥと、第１の符号化率Ｒｒｅｆが乗算された値に少なくとも基づき与えられてもよい。また、第６の条件は、上りリンクデータのために用いられるリソースエレメント数ＮＲＥと、第１の符号化率Ｒｒｅｆが乗算された値が、上りリンクデータのトランスポートブロックサイズＸＴＢＳ（または、Ａ）を超えているか否かであってもよい。ここで、第１の符号化率Ｒｒｅｆは、上位層の信号、または、ＰＤＣＣＨを用いて送信される情報に基づ
き与えられてもよい。また、第１の符号化率Ｒｒｅｆは、仕様書等の記載に基づき与えられてもよい。ここで、上りリンクデータのために用いられるリソースエレメント数ＮＲＥは、ｓＰＵＳＣＨに含まれるリソースエレメント数と、ｓＰＵＳＣＨを用いて送信される上りリンク制御情報の符号化変調シンボル数の差に少なくとも基づき与えられてもよい。
【０１５６】
例えば、第６の条件は、ｓＰＵＳＣＨを用いて送信される上りリンク制御情報の符号化変調シンボル数と、第１の符号化率が乗算された値に少なくとも基づき与えられてもよい。また、第６の条件は、ｓＰＵＳＣＨを用いて送信される上りリンク制御情報の符号化変調シンボル数と、第１の符号化率が乗算された値が、上りリンク制御情報のビット数を超えているか否かであってもよい。上りリンク制御情報のビット数は、チャネル品質指標のビット数Ｏ、ＨＡＲＱ−ＡＣＫのビット数Ｂ、ランク指標のビット数Ｃの少なくとも一部の和に基づき与えられてもよい。
【０１５７】
例えば、端末装置１は、上りリンクデータの符号化率が所定の符号化率以上である場合に、上りリンク制御情報の少なくとも一部の送信をドロップしてもよい。
【０１５８】
例えば、上りリンクデータの符号化率が所定の符号化率以上である場合に、多重・インタリーブ部１０７１ｅの動作２は、符号化変調シンボルｊｉのみに基づき、符号化変調シンボルｘｉを生成する動作を含み、かつ、多重・インタリーブ部１０７１ｅは、動作３を含まなくてもよい。
【０１５９】
例えば、上りリンクデータの符号化率が所定の符号化率以上である場合に、多重・インタリーブ部１０７１ｅは動作３を含まなくてもよい。
【０１６０】
例えば、上りリンクデータの符号化率が所定の符号化率以上である場合に、多重・インタリーブ部１０７１ｅの動作２は、符号化変調シンボルｊｉのみに基づき、符号化変調シンボルｘｉを生成する動作を含み、かつ、多重・インタリーブ部１０７１ｅは、動作３を含まなくてもよい。
【０１６１】
所定の符号化率は、上位層の信号、または、ＰＤＣＣＨを用いて送信される情報に基づき与えられてもよい。また、所定の符号化率は、仕様書等の記載に基づき与えられてもよい。所定の符号化率は、ＨＡＲＱ−ＡＣＫとランク指標とチャネル品質指標のために個別に設定されてもよい。
【０１６２】
ｓＰＵＳＣＨを用いて上りリンク制御情報が送信される場合、少なくとも第１の方法と第２の方法のいずれかに基づき少なくとも一部の上りリンク制御情報の符号化変調シンボル数が与えられる。ｓＰＵＳＣＨを用いて上りリンク制御情報が送信される場合、第１の方法と第２の方法のいずれに基づき少なくとも一部の上りリンク制御情報の符号化変調シンボル数が与えられるかは、第７の条件から第１２の条件の少なくとも一部に基づいて与えられてもよい。第７の条件から第１２の条件は後述される。
【０１６３】
少なくとも一部の上りリンク制御情報の符号化変調シンボル数が第１の方法で与えられるか第２の方法で与えられるかが切り替わるか否かは、チャネル品質指標、および／または、ＨＡＲＱ−ＡＣＫ、および／または、ランク指標、および／または、ＣＳＩ−ＲＳリソース指標の少なくとも一部のために（例えば、上位層の信号により）個別に設定されてもよい。
【０１６４】
ここで、チャネル品質指標の符号化変調シンボルのための第１の方法は、数式（１）に基づき与えられる。また、ＨＡＲＱ−ＡＣＫ、および／または、ランク指標のための第１の方法は、該ＨＡＲＱ−ＡＣＫまたは該ランク指標が送信されるＰＵＳＣＨ／ｓＰＵＳＣ
Ｈで送信されるトランスポートブロック数が１である場合に、数式（２）に基づき与えられる。また、ＨＡＲＱ−ＡＣＫ、および／または、ランク指標のための第１の方法は、該ＨＡＲＱ−ＡＣＫまたは該ランク指標が送信されるＰＵＳＣＨ／ｓＰＵＳＣＨで送信されるトランスポートブロック数が１以上である場合に、数式（３）に基づき与えられる。
【０１６５】
例えば、チャネル品質指標の符号化変調シンボルのための第２の方法は、数式（１）に基づき与えられ、βＰＵＳＣＨｏｆｆｓｅｔがβＣＱＩｏｆｆｓｅｔとは異なる値によって与えられる方法である。βＣＱＩｏｆｆｓｅｔとは異なる値は、例えば、ｓＰＵＳＣＨを用いたチャネル品質指標の送信のために上位層の信号（または、ＰＤＣＣＨ等）で通知される値であってもよい。
【０１６６】
例えば、チャネル品質指標の符号化変調シンボルのための第２の方法は、数式（１）に基づき与えられ、βＰＵＳＣＨｏｆｆｓｅｔがβＣＱＩｏｆｆｓｅｔに基づき与えられ、βＣＱＩｏｆｆｓｅｔの値は、ＰＵＳＣＨを用いてチャネル品質指標が送信される場合とｓＰＵＳＣＨを用いてチャネル品質指標が送信される場合とで、異なる値が設定される方法である。図１３は、本実施形態の一態様に係るβＣＱＩｏｆｆｓｅｔの値の一例である。図１１において、ＩＣＱＩｏｆｆｓｅｔは、上位層の信号により通知されるインデックスであり、それぞれのインデックスに対して、ＰＵＳＣＨのためのβＣＱＩｏｆｆｓｅｔとｓＰＵＳＣＨのためのβＣＱＩｏｆｆｓｅｔが設定されている。ここで、少なくとも一部のＰＵＳＣＨのためのβＣＱＩｏｆｆｓｅｔと少なくとも一部のｓＰＵＳＣＨのためのβＣＱＩｏｆｆｓｅｔは同じ値であってもよい。
【０１６７】
例えば、チャネル品質指標の符号化変調シンボルのための第２の方法は、以下の数式（４）に基づき与えられてもよい。
【０１６８】
【数４】
2020005007.tif 000006
【０１６９】
ここで、ＸｍａｘＣＱＩは、チャネル品質指標の符号化変調シンボルのための第２の方法のために与えられる設定値である。例えば、ＸｍａｘＣＱＩ＝ＭＰＵＳＣＨＳＣ＊ＮＰＵＳＣＨｓｙｍｂ−Ｑ（ｘ）ＲＩ／Ｑ（ｘ）ｍ−ＹＣＱＩであってもよい。ＹＣＱＩは、上位層の信号、または、ＰＤＣＣＨを用いて送信される情報に基づき与えられてもよい。また、ＹＣＱＩは、仕様書等の記載に基づき与えられてもよい。
【０１７０】
例えば、チャネル品質指標の符号化変調シンボルのための第２の方法は、数式（５）に基づき与えられてもよい。
【０１７１】
【数５】
2020005007.tif 000007
【０１７２】
ここで、ＱＣＱＩｔｅｍｐは、数式（１）、または、数式（４）に基づき与えられるＱ’１が代入されてもよい。また、ＱＣＱＩｍｉｎは、少なくともレイヤ数に基づき与えられてもよい。また、ＱＣＱＩｍｉｎは、上りリンクデータがマップされるレイヤ数に基づき与えられてもよい。上りリンクデータがマップされるレイヤ数をＮＬである場合、少なくともＯＣＱＩが所定の値である場合にＱＣＱＩｍｉｎ＝ｃｅｉｌ（ＯＣＱＩ／ＮＬ）であってもよい。ここで、所定の値は、例えば、２以下の値であってもよい。
【０１７３】
例えば、ＨＡＲＱ−ＡＣＫの符号化変調シンボルのための第２の方法は、数式（２）、または、数式（３）に基づき与えられ、βＰＵＳＣＨｏｆｆｓｅｔがβＨＡＲＱ−ＡＣＫｏｆｆｓｅｔとは異なる値によって与えられる方法である。βＨＡＲＱ−ＡＣＫｏｆｆｓｅｔとは異なる値は、例えば、ｓＰＵＳＣＨを用いたチャネル品質指標の送信のために上位層の信号（または、ＰＤＣＣＨ等）で通知される値であってもよい。
【０１７４】
例えば、ＨＡＲＱ−ＡＣＫの符号化変調シンボルのための第２の方法は、数式（２）、または、数式（３）に基づき与えられ、βＰＵＳＣＨｏｆｆｓｅｔがβＨＡＲＱ−ＡＣＫｏｆｆｓｅｔに基づき与えられ、βＨＡＲＱ−ＡＣＫｏｆｆｓｅｔの値は、ＰＵＳＣＨを用いてチャネル品質指標が送信される場合とｓＰＵＳＣＨを用いてチャネル品質指標が送信される場合とで、異なる値が設定される方法である。
【０１７５】
例えば、ＨＡＲＱ−ＡＣＫの符号化変調シンボルのための第２の方法は、以下の数式（５）、または、数式（６）に基づき与えられてもよい。
【０１７６】
【数６】
2020005007.tif 000008
【０１７７】
【数７】
2020005007.tif 000009
【０１７８】
ここで、ＸｍａｘＨＡＲＱ−ＡＣＫは、ＨＡＲＱ−ＡＣＫの符号化変調シンボルのための第２の方法のために与えられる設定値である。例えば、ＸｍａｘＨＡＲＱ−ＡＣＫ＝４＊ＭＰＵＳＣＨＳＣ−ＹＨＡＲＱ−ＡＣＫであってもよい。ＹＨＡＲＱ−ＡＣＫは、上位層の信号、または、ＰＤＣＣＨを用いて送信される情報に基づき与えられてもよい。また、ＹＨＡＲＱ−ＡＣＫは、仕様書等の記載に基づき与えられてもよい。また、ＸｍａｘＨＡＲＱ−ＡＣＫ＝ＫＨＡＲＱ−ＡＣＫ＊ＭＰＵＳＣＨＳＣ−ＹＨＡＲＱ−ＡＣＫであってもよい。ここで、ＫＨＡＲＱ−ＡＣＫは、ＨＡＲＱ−ＡＣＫの符号化変調シンボルがマップされるＳＣ−ＦＤＭＡシンボルの数に対応してもよい。また、ＸｍａｘＨＡＲＱ−ＡＣＫ＝ＫＨＡＲＱ−ＡＣＫ＊ＭＰＵＳＣＨＳＣであってもよい。
【０１７９】
例えば、ＨＡＲＱ−ＡＣＫの符号化変調シンボルのための第２の方法は、ＨＡＲＱ−ＡＣＫが送信されるＰＵＳＣＨ／ｓＰＵＳＣＨで送信されるトランスポートブロック数が１である場合に、以下の数式（８）に基づき与えられてもよい。
【０１８０】
【数８】
2020005007.tif 000010
【０１８１】
ここで、ＱＨＡＲＱ−ＡＣＫｔｅｍｐは、数式（２）、数式（３）、数式（６）、または、数式（７）に基づき与えられるＱ’２が代入されてもよい。また、ＱＨＡＲＱ−ＡＣＫｍｉｎは、ＯＨＡＲＱ−ＡＣＫに基づき与えられてもよい。
【０１８２】
ＨＡＲＱ−ＡＣＫの符号化変調シンボルのための第２の方法は、数式（２）、数式（３）、数式（６）、または、数式（７）に係るＨＡＲＱ−ＡＣＫのビット数Ｏを算出する方法であってもよい。例えば、ＨＡＲＱ−ＡＣＫの符号化変調シンボルのための第２の方法は、ＨＡＲＱ−ＡＣＫのビット数ＯがＨＡＲＱ−ＡＣＫ  ｂｕｎｄｌｉｎｇに基づき与えられる方法であってもよい。ＨＡＲＱ−ＡＣＫ  ｂｕｎｄｌｉｎｇは、複数のＨＡＲＱ−ＡＣＫに対する論理積を行うことであってもよい。ＨＡＲＱ−ＡＣＫ  ｂｕｎｄｌｉｎｇ
は、トランスポートブロックのインデックスｘのＨＡＲＱ−ＡＣＫに対する論理積を行うことであってもよい。ＨＡＲＱ−ＡＣＫ  ｂｕｎｄｌｉｎｇは、サブフレームに渡り（ａｃｒｏｓｓ  ｓｕｂｆｒａｍｅｓ）、ＨＡＲＱ−ＡＣＫに対する論理積を行うことであってもよい。ＨＡＲＱ−ＡＣＫ  ｂｕｎｄｌｉｎｇは、サービングセルに渡り（ａｃｒｏｓｓ  ｓｅｒｖｉｎｇ  ｃｅｌｌｓ、  ｏｒ、  ａｃｒｏｓｓ  ｆｒｅｑｕｅｎｃｙ  ｄｏｍａｉｎ、ｏｒ、ｆｒｅｑｕｅｎｃｙ  ｒｅｓｏｕｒｃｅｓ）、ＨＡＲＱ−ＡＣＫに対する論理積を行うことであってもよい。少なくともサブフレームに渡りＨＡＲＱ−ＡＣＫに対する論理積を行われることは、時間バンドル（Ｔｉｍｅ  ｄｏｍａｉｎ  ｂｕｎｄｌｉｎｇ）とも呼称される。少なくともサービングセルに渡り、ＨＡＲＱ−ＡＣＫに対する論理積が行われることは、周波数バンドル（Ｆｒｅｑｕｅｎｃｙ  ｂｕｎｄｌｉｎｇ）とも呼称される。ＨＡＲＱ−ＡＣＫ  ｂｕｎｄｌｉｎｇは、すべてのＨＡＲＱ−ＡＣＫに対して論理積を行うことであってもよい。ここで、すべてのＨＡＲＱ−ＡＣＫに対して論理積が行われることは、完全バンドル（Ｆｕｌｌ  ｂｕｎｄｌｉｎｇ）とも呼称される。
【０１８３】
例えば、ＨＡＲＱ−ＡＣＫの符号化変調シンボルのための第１の方法は、ＨＡＲＱ−ＡＣＫのビット数ＯがＨＡＲＱ−ＡＣＫ  ｍｕｌｔｉｐｌｅｘｉｎｇに基づき与えられる方法であってもよい。ＨＡＲＱ−ＡＣＫ  ｍｕｌｔｉｐｌｅｘｉｎｇは、コードワードに渡り（ａｃｒｏｓｓ  ｃｏｄｅｗｏｒｄｓ）、ＨＡＲＱ−ＡＣＫに対する論理積を行うことであってもよい。少なくともコードワードのインデックスに渡り、ＨＡＲＱ−ＡＣＫに対する論理積を行われることは、空間バンドル（Ｓｐａｔｉａｌ  ｍｕｌｔｉｐｌｅｘｉｎｇ）とも呼称される。
【０１８４】
ランク指標の符号化変調シンボルのための第２の方法は、ＨＡＲＱ−ＡＣＫの符号化変調シンボルのための第２の方法と同様である。ランク指標の符号化変調シンボルのための第２の方法は、ＨＡＲＱ−ＡＣＫの符号化変調シンボルのための第２の方法において、“ＨＡＲＱ−ＡＣＫ”を“ＲＩ”に読み替えることにより与えられてもよい。
【０１８５】
第７の条件は、ｓＰＵＳＣＨのＴＴＩに含まれるＳＣ−ＦＤＭＡシンボルの数が該ｓＰＵＳＣＨのための所定のＳＣ−ＦＤＭＡシンボルの数であるか否かである。例えば、端末装置１は、ｓＰＵＳＣＨに含まれるＳＣ−ＦＤＭＡシンボルの数が所定のＳＣ−ＦＤＭＡシンボルの数である場合に、上りリンク制御情報の符号化変調シンボルのために第２の方法を用いてもよい。また、端末装置１は、ｓＰＵＳＣＨに含まれるＳＣ−ＦＤＭＡシンボルの数が所定のＳＣ−ＦＤＭＡシンボルの数と異なる場合に、上りリンク制御情報の符号化変調シンボルのために第１の方法を用いてもよい。
【０１８６】
第８の条件は、ｓＰＵＳＣＨに含まれるＳＣ−ＦＤＭＡシンボルの数から、上りリンクデータのために用いられないＳＣ−ＦＤＭＡシンボルの数を引いた値（第１のＳＣ−ＦＤＭＡシンボル数とも呼称される）が第１のＳＣ−ＦＤＭＡシンボルのための所定の値であるか否かである。例えば、端末装置１は、第１のＳＣ−ＦＤＭＡシンボル数が第１のＳＣ−ＦＤＭＡシンボルのための所定の値である場合に、上りリンク制御情報の符号化変調シンボルのために第２の方法を用いてもよい。また、端末装置１は、第１のＳＣ−ＦＤＭＡシンボル数が第１のＳＣ−ＦＤＭＡシンボルのための所定の値と異なる場合に、上りリンク制御情報の符号化変調シンボルのために第１の方法を用いてもよい。
【０１８７】
第９の条件は、上りリンク制御情報のための符号化変調シンボル数に関連する第１の値が第１の値のための所定の値であるか否かである。ここで、該符号化変調シンボル数は、第１の方法に基づき与えられてもよい。例えば、端末装置１は、上りリンク制御情報のための符号化変調シンボル数に関連する第１の値が第１の値のための所定の値である場合に、ｓＰＵＳＣＨを用いて送信される上りリンク制御情報の符号化変調シンボル数のために第１の方法を用いてもよい。また、端末装置１は、上りリンク制御情報のための符号化変
調シンボル数に関連する第１の値が第１の値のための所定の値と異なる場合に、ｓＰＵＳＣＨを用いて送信される上りリンク制御情報の符号化変調シンボル数のために第２の方法を用いてもよい。
【０１８８】
第１０の条件は、上りリンクグラントに基づき割り当てられるＰＵＳＣＨ／ｓＰＵＳＣＨのためのリソース数がリソース数のための所定の値（または、所定の値以下）であるか否かである。ここで、該リソース数は、リソースブロック数であってもよいし、リソースブロックのグループ数であってもよい。以下では、該リソース数がリソースブロック数である場合を例にとり、説明を行う。
【０１８９】
例えば、端末装置１は、上りリンクグラントに基づき割り当てられるＰＵＳＣＨ／ｓＰＵＳＣＨのためのリソースブロック数がリソース数のための所定の値（または、所定の値以下）である場合に、上りリンク制御情報の符号化変調シンボルのために第２の方法を用いてもよい。また、端末装置１は、上りリンクグラントに基づき割り当てられるＰＵＳＣＨ／ｓＰＵＳＣＨのためのリソースブロック数がリソース数のための所定の値（または、所定の値以下）と異なる場合に、上りリンク制御情報の符号化変調シンボルのために第１の方法を用いてもよい。
【０１９０】
第１１の条件は、上りリンクグラントに含まれるビットが、第２の方法を用いて上りリンク制御情報が与えられるようにトリガーされているか否かである。例えば、端末装置は、上りリンクグラントに含まれるビットが、第２の方法を用いて上りリンク制御情報が与えられるようにトリガーされている場合に、上りリンク制御情報の符号化変調シンボルのために第２の方法を用いてもよい。また、端末装置は、上りリンクグラントに含まれるビットが、第２の方法を用いて上りリンク制御情報が与えられるようにトリガーされていない場合に、上りリンク制御情報の符号化変調シンボルのために第１の方法を用いてもよい。
【０１９１】
第１２の条件は、上りリンクデータの符号化率が所定の符号化率以上であるか否かである。端末装置１は、上りリンクデータの符号化率が所定の符号化率以上である場合に、上りリンク制御情報の符号化変調シンボルのために第２の方法を用いてもよい。また、端末装置１は、上りリンクデータの符号化率が所定の符号化率未満である場合に、上りリンク制御情報の符号化変調シンボルのために第１の方法を用いてもよい。
【０１９２】
上位層の信号に少なくとも基づき、ＰＵＳＣＨのためにＨＡＲＱ−ＡＣＫ  ｂｕｎｄｌｉｎｇとＨＡＲＱ−ＡＣＫ  Ｍｕｌｔｉｐｌｅｘｉｎｇが用いられるかが与えられる。ここで、上位層の信号に少なくとも基づき、ｓＰＵＳＣＨのためにＨＡＲＱ−ＡＣＫ  ｂｕｎｄｌｉｎｇとＨＡＲＱ−ＡＣＫ  Ｍｕｌｔｉｐｌｅｘｉｎｇのいずれが用いられるかが与えられてもよい。つまり、上位層の信号に少なくとも基づき、ＰＵＳＣＨとｓＰＵＳＣＨに対して個別に、ＨＡＲＱ−ＡＣＫ  ｂｕｎｄｌｉｎｇとＨＡＲＱ−ＡＣＫ  Ｍｕｌｔｉｐｌｅｘｉｎｇが用いられるかが与えられてもよい。
【０１９３】
上位層の信号に少なくとも基づき、ＰＵＳＣＨのためのｂｕｎｄｌｉｎｇ方法が与えられてもよい。また、ｓＰＵＳＣＨのために、ｓＰＵＳＣＨのためのｂｕｎｄｌｉｎｇ方法が与えられてもよい。つまり、ＰＵＳＣＨとｓＰＵＳＣＨで個別にｂｕｎｄｌｉｎｇ方法が与えられてもよい。ここで、ｂｕｎｄｌｉｎｇ方法は、少なくとも、時間バンドル、コードワードバンドル、空間バンドル、完全バンドルの少なくとも一部を含んでもよい。
【０１９４】
これにより、端末装置１は効率的に上りリンク制御情報を送信することができる。また、基地局装置３は効率的に上りリンク制御情報を受信することができる。
【０１９５】
以下、本実施形態の一態様に係る種々の装置の態様を説明する。
【０１９６】
（１）上記の目的を達成するために、本発明の態様は、以下のような手段を講じた。すなわち、本発明の第１の態様は、端末装置１であって、上りリンクグラントを検出する受信部と、前記上りリンクグラントに基づき、ｓＰＵＳＣＨを送信する送信部と、を備え、前記ｓＰＵＳＣＨは、１４より少ないＳＣ−ＦＤＭＡシンボルを含むチャネルであり、前記ｓＰＵＳＣＨを用いて上りリンク制御情報の送信が設定され、第１の条件から第５の条件の少なくとも一部を満たすことに基づき前記上りリンク制御情報の少なくとも一部の送信はドロップされ、前記第１の条件は、前記ｓＰＵＳＣＨに含まれるＳＣ−ＦＤＭＡシンボルの数が所定の数であることであり、前記第２の条件は、前記ｓＰＵＳＣＨに含まれるＳＣ−ＦＤＭＡシンボルの数から参照信号のために用いられる前記ＳＣ−ＦＤＭＡシンボルの数を引いた値が所定の値以下であることであり、前記第３の条件は、前記上りリンク制御情報のための符号化変調シンボル数に関連する第１の値が所定の値以下であることであり、前記第４の条件は、前記上りリンクグラントに基づき割り当てられる前記ｓＰＵＳＣＨのためのリソースブロック数が所定の値以下であることであり、前記第５の条件は、前記上りリンクグラントに含まれるビットが前記上りリンク制御情報の少なくとも一部の送信をドロップするようにトリガーされていることである。
【０１９７】
（２）また、本発明の第１の態様において、前記符号化変調シンボルは、第１の符号化変調シンボルから第３の符号化変調シンボルの少なくとも一部を含み、前記第１の符号化変調シンボルは、チャネル品質指標のための前記符号化変調シンボルであり、前記第２の符号化変調シンボルは、ＨＡＲＱ−ＡＣＫのための前記符号化変調シンボルであり、前記第３の符号化変調シンボルは、ランク指標のための前記符号化変調シンボルであり、前記第１の値は、前記第１の符号化変調シンボルのための第１の上限値と前記第２の符号化変調シンボルのための第２の上限値と前記第３の符号化変調シンボルのための第３の上限値の少なくとも一部の和に基づき与えられる。
【０１９８】
（３）また、本発明の第２の態様は、端末装置１であって、上りリンクグラントを検出する受信部と、前記上りリンクグラントに基づき、上りリンク制御情報を、ｓＰＵＳＣＨを用いて送信する送信部と、を備え、前記ｓＰＵＳＣＨは、１４より少ないＳＣ−ＦＤＭＡシンボルを含むチャネルであり、前記上りリンク制御情報のための符号化変調シンボル数は、第１の方法、または、第２の方法に基づき計算され、前記符号化変調シンボル数の計算方法が前記第１の方法であるか前記第２の方法であるかは、第１の条件から第５の条件の少なくとも一部に基づき与えられ、前記第１の条件は、前記ＳＣ−ＦＤＭＡシンボルの数が所定の数であるか否かであり、前記第２の条件は、前記ｓＰＵＳＣＨに含まれる前記ＳＣ−ＦＤＭＡシンボルの数から参照信号のために用いられる前記ＳＣ−ＦＤＭＡシンボルの数を引いた値が所定の値以下であるか否かであり、前記第３の条件は、前記上りリンク制御情報のための符号化変調シンボル数に関連する第１の値が所定の値以下であるか否かであり、前記第４の条件は、前記上りリンクグラントに基づき割り当てられる前記ｓＰＵＳＣＨのためのリソースブロック数が所定の値以下であるか否かであり、前記第５の条件は、前記上りリンクグラントに含まれるビットが前記上りリンク制御情報の送信をドロップするようにトリガーされているか否かである。
【０１９９】
（４）また、本発明の第２の態様において、前記第１の上りリンク制御情報は、少なくともチャネル品質指標を含み、前記第１の値は、前記第１の方法に基づき与えられる前記符号化変調シンボル数であり、前記第１の値が前記所定の値以下である場合に、前記第２の方法に基づき前記符号化変調シンボルが計算され、前記第２の方法は、少なくとも前記ｓＰＵＳＣＨを用いて送信されるトランスポートブロックがマップされるレイヤ数に基づき与えられる値に基づき与えられる。
【０２００】
（５）また、本発明の第３の態様は、基地局装置３であって、上りリンクグラントを送信する送信部と、前記上りリンクグラントに基づき、端末装置１よりｓＰＵＳＣＨを受信する受信部と、を備え、前記ｓＰＵＳＣＨは、１４より少ないＳＣ−ＦＤＭＡシンボルを含むチャネルであり、前記ｓＰＵＳＣＨを用いて上りリンク制御情報の送信が設定され、第１の条件から第５の条件の少なくとも一部を満たすことに基づき前記上りリンク制御情報の少なくとも一部の送信はドロップされ、前記第１の条件は、前記ｓＰＵＳＣＨに含まれるＳＣ−ＦＤＭＡシンボルの数が所定の数であることであり、前記第２の条件は、前記ｓＰＵＳＣＨに含まれるＳＣ−ＦＤＭＡシンボルの数から参照信号のために用いられる前記ＳＣ−ＦＤＭＡシンボルの数を引いた値が所定の値以下であることであり、前記第３の条件は、前記上りリンク制御情報のための符号化変調シンボル数に関連する第１の値が所定の値以下であることであり、前記第４の条件は、前記上りリンクグラントに基づき割り当てられる前記ｓＰＵＳＣＨのためのリソースブロック数が所定の値以下であることであり、前記第５の条件は、前記上りリンクグラントに含まれるビットが前記上りリンク制御情報の少なくとも一部の送信をドロップするようにトリガーされていることである。
【０２０１】
（６）また、本発明の第３の態様において、前記符号化変調シンボルは、第１の符号化変調シンボルから第３の符号化変調シンボルの少なくとも一部を含み、前記第１の符号化変調シンボルは、チャネル品質指標のための前記符号化変調シンボルであり、前記第２の符号化変調シンボルは、ＨＡＲＱ−ＡＣＫのための前記符号化変調シンボルであり、前記第３の符号化変調シンボルは、ランク指標のための前記符号化変調シンボルであり、前記第１の値は、前記第１の符号化変調シンボルのための第１の上限値と前記第２の符号化変調シンボルのための第２の上限値と前記第３の符号化変調シンボルのための第３の上限値の少なくとも一部の和に基づき与えられる。
【０２０２】
（７）また、本発明の第４の態様は、基地局装置３であって、上りリンクグラントを送信する送信部と、前記上りリンクグラントに基づき、端末装置１より送信されるｓＰＵＳＣＨに含まれる上りリンク制御情報を受信する受信部と、を備え、前記ｓＰＵＳＣＨは、１４より少ないＳＣ−ＦＤＭＡシンボルを含むチャネルであり、前記上りリンク制御情報のための符号化変調シンボル数は、第１の方法、または、第２の方法に基づき計算され、前記符号化変調シンボル数の計算方法が前記第１の方法であるか前記第２の方法であるかは、第１の条件から第５の条件の少なくとも一部に基づき与えられ、前記第１の条件は、前記ＳＣ−ＦＤＭＡシンボルの数が所定の数であるか否かであり、前記第２の条件は、前記ｓＰＵＳＣＨに含まれる前記ＳＣ−ＦＤＭＡシンボルの数から参照信号のために用いられる前記ＳＣ−ＦＤＭＡシンボルの数を引いた値が所定の値以下であるか否かであり、前記第３の条件は、前記上りリンク制御情報のための符号化変調シンボル数に関連する第１の値が所定の値以下であるか否かであり、前記第４の条件は、前記上りリンクグラントに基づき割り当てられる前記ｓＰＵＳＣＨのためのリソースブロック数が所定の値以下であるか否かであり、前記第５の条件は、前記上りリンクグラントに含まれるビットが前記上りリンク制御情報の送信をドロップするようにトリガーされているか否かである。
【０２０３】
（８）また、本発明の第４の態様において、前記第１の上りリンク制御情報は、少なくともチャネル品質指標を含み、前記第１の値は、前記第１の方法に基づき与えられる前記符号化変調シンボル数であり、前記第１の値が前記所定の値以下である場合に、前記第２の方法に基づき前記符号化変調シンボルが計算され、前記第２の方法は、少なくとも前記ｓＰＵＳＣＨを用いて送信されるトランスポートブロックがマップされるレイヤ数に基づき与えられる値に基づき与えられる。
【０２０４】
本発明に関わる基地局装置３、および端末装置１で動作するプログラムは、本発明に関わる上記実施形態の機能を実現するように、ＣＰＵ（Central Processing Unit）等を制
御するプログラム（コンピュータを機能させるプログラム）であっても良い。そして、こ
れら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤ
Ｄ（Hard Disk Drive）に格納され、必要に応じてＣＰＵによって読み出し、修正・書き
込みが行われる。
【０２０５】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０２０６】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２０７】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０２０８】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０２０９】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０２１０】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０２１１】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０２１２】
以上、この発明の実施形態に関して図面を参照して詳述してきたが、具体的な構成はこ
の実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０２１３】
１（１Ａ、１Ｂ、１Ｃ）  端末装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  スケジューリング部
３０１１  無線リソース制御部
３０１３  スケジューリング部
【図１】
2020005007.tif 000011
【図２】
2020005007.tif 000012
【図３】
2020005007.tif 000013
【図４】
2020005007.tif 000014
【図５】
2020005007.tif 000015
【図６】
2020005007.tif 000016
【図７】
2020005007.tif 000017
【図８】
2020005007.tif 000018
【図９】
2020005007.tif 000019
【図１０】
2020005007.tif 000020
【図１１】
2020005007.tif 000021
【図１２】
2020005007.tif 000022
【図１３】
2020005007.tif 000023